(57)【要約】  本発明の中央処理装置および該方法は、被監視者に対応して設けられたセンサ装置で検知された、被監視者に関わる所定のイベントを管理して端末装置に通知するものであって、送信先の状況を表す所定の送信先状況情報を記憶し、センサ装置から前記イベントを受信した場合に、前記記憶された前記送信先状況情報に基づいて通知先の端末装置を決定し、前記決定した端末装置へ、センサ装置から受信した前記イベントを送信する。そして、本発明の被監視者監視システムは、この中央処理装置を含む。
2018030020.tif 000002
【特許請求の範囲】
【請求項１】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの前記中央処理装置であって、
送信先の状況を表す所定の送信先状況情報を記憶する送信先状況情報記憶部と、
前記センサ装置から前記イベントを受信した場合に、前記送信先状況情報記憶部に記憶された前記送信先状況情報に基づいて通知先の端末装置を決定し、前記決定した端末装置へ、前記センサ装置から受信した前記イベントを送信する監視処理部とを備える、
中央処理装置。
【請求項２】
前記送信先状況情報は、当該被監視者監視システムにログインしているログイン中の端末装置を表すログイン端末情報、および、外部から所定のデータの入力を受け付けるために使用中である入力使用中の端末装置を表す入力使用中端末情報を含み、
前記監視処理部は、前記ログイン中の端末装置から、前記入力使用中の端末装置の除いた、残余の端末装置を前記通知先の端末装置として決定する、
請求項１に記載の中央処理装置。
【請求項３】
前記監視処理部は、前記残余の端末装置が１または０である場合、前記入力使用中の端末装置の一部または全部をさらに前記通知先の端末装置として決定する、
請求項２に記載の中央処理装置。
【請求項４】
前記送信先状況情報は、当該被監視者監視システムにログインしているログイン中の端末装置を取り扱う監視者における所定の属性を表す属性情報をさらに含み、
前記監視処理部は、前記ログイン中の端末装置から、予め設定された特定の属性を前記属性情報として持つ端末装置をさらに前記通知先の端末装置として決定する、
請求項２または請求項３に記載の中央処理装置。
【請求項５】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの中央処理方法であって、
前記センサ装置から前記イベントを受信した場合に、送信先状況情報記憶部に記憶された、送信先の状況を表す所定の送信先状況情報に基づいて通知先の端末装置を決定する決定工程と、
前記決定工程で決定した端末装置へ、前記センサ装置から受信した前記イベントを送信する送信工程とを備える、
中央処理方法。
【請求項６】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムであって、
前記中央処理装置は、請求項１ないし請求項４のいずれか１項に記載の中央処理装置である、
被監視者監視システム。
【発明の詳細な説明】
【技術分野】
【０００１】
本発明は、監視すべき監視対象である被監視者を複数の機器を用いて監視する被監視者監視システムの中央処理装置および中央処理方法、ならびに、前記被監視者監視システムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。２０１３年９月の統計では、高齢者人口は、約３１８６万人であり、その高齢化率は、２５．０％であり、４人に１人が高齢者になっている。２０３５年には、高齢者人口が約３７４１万人となり、３人に１人が高齢者になるという予測もある（日本国総務省統計局）。このような高齢化社会では、病気や怪我や高齢等による看護や介護を必要とする要看護者や要介護者（要看介護者）は、高齢化社会ではない通常の社会で生じる要看介護者よりもその増加が見込まれる。そして、我が国は、例えば２０１３年の合計特殊出生率が１．４３という少子化社会でもある。そのため、高齢な要看介護者を高齢の家族（配偶者、子、兄弟）が介護する老老介護も起きて来ている。【０００３】
要看介護者は、病院や、老人福祉施設（日本の法令では老人短期入所施設、養護老人ホームおよび特別養護老人ホーム等）等の施設に入所し、その看護や介護を受ける。このような施設では、要看介護者が、例えばベッドからの転落や歩行中の転倒等によって怪我を負ったり、ベッドから抜け出して徘徊したりするなどの事態が生じ得る。このような事態に対し、可及的速やかに対応する必要がある。また、このような事態を放置しておくとさらに重大な事態に発展してしまう可能性もある。このため、前記施設では、看護師や介護士（看介護者）は、定期的に巡視することによってその安否や様子を確認している。そして、これらの結果を、看護師や介護士等は、看護記録や介護記録（看介護記録）として記録する。【０００４】
しかしながら、要看介護者の増加数に対し看介護者の増加数が追い付かずに、看護業界や介護業界では、慢性的に人手不足になっている。さらに、日勤の時間帯に較べ、準夜勤や夜勤の時間帯では、看介護者の人数が減るため、一人当たりの業務負荷が増大するので、前記業務負荷の軽減が要請される。また、前記老老介護の事態は、前記施設でも例外ではなく、高齢の要看介護者を高齢の看介護者がケアすることもしばしば見られる。一般に高齢になると体力が衰えるため、健康であっても若いケア者に比しケアの負担が重くなり、また、その動きや判断も遅くなる。【０００５】
このような人手不足や看介護者の負担を軽減するため、看護業務や介護業務を補完する技術が求められている。このため、近年では、要看介護者の、監視すべき監視対象である被監視者を監視（モニタ）する被監視者監視技術が研究、開発されている。【０００６】
このような技術の一つとして、例えば特許文献１に開示されたナースコールシステムがある。この特許文献１に開示されたナースコールシステムは、ベッドに設置されて患者が看護師を呼び出すためのナースコール子機と、ナースステーションに設置されて前記ナースコール子機による呼び出しに応答するためのナースコール親機とを有するナースコールシステムであって、ベッド上の患者をベッド上方から撮像するカメラと、前記カメラの撮像映像から、患者が上半身を起こした状態及び患者がベッド上から離れた状態のうち少なくとも一方の発生を判断して注意状態発生信号を出力する状態判断手段とを有し、前記ナースコール親機は、前記注意状態発生信号を受けて報知動作する報知手段を有する。そして、このナースコールシステムは、前記ナースコール子機からの呼び出しに応答するために看護師が携行する携帯端末と、前記注意状態発生信号を受けて、前記カメラの撮像映像を前記携帯端末に送信する通信制御手段とを有する。【０００７】
一方、安否確認の点では、一人暮らしの独居者も前記要介護者等と同様であり、被監視対象者となる。【０００８】
ところで、前記特許文献１に開示されたナースコールシステムでは、患者によるナースコールや、患者の行動に応じて生成される注意状態発生信号を受けることができるので、看護師や介護士等の監視者（ユーザ）は、患者（被監視者）からの呼び出しや患者の行動に対応した看護や介護等を実施できる。しかしながら、端末装置がナースコールや注意状態発生信号を受ける機能の他にさらに他の機能を有し、監視者（ユーザ）がこの他の機能を使用している場合に、ナースコールや注意状態発生信号を受けてしまうと、前記特許文献１に開示されたナースコールシステムでは、それによって使用中の他の機能が中断してしまう虞がある。このため、監視者（ユーザ）が実行中の業務に専念できない虞があり、実行中の業務の中断によって業務の効率が低下してしまう。
【先行技術文献】
【特許文献】
【０００９】
【特許文献１】特開２０１４−９０９１３号公報
【発明の概要】
【００１０】
本発明は、上述の事情に鑑みて為された発明であり、その目的は、実行中の業務により専念させることができ、業務効率の低下をより回避できる被監視者監視システムの中央処理装置および中央処理方法ならびに被監視者監視システムを提供することである。
【００１１】
本発明にかかる中央処理装置および中央処理方法は、被監視者に対応して設けられたセンサ装置で検知された、被監視者に関わる所定のイベントを管理して端末装置に通知するものであって、送信先の状況を表す所定の送信先状況情報を記憶し、センサ装置から前記イベントを受信した場合に、前記記憶された前記送信先状況情報に基づいて通知先の端末装置を決定し、前記決定した端末装置へ、センサ装置から受信した前記イベントを送信する。そして、本発明にかかる被監視者監視システムは、この中央処理装置を含む。
【００１２】
上記並びにその他の本発明の目的、特徴及び利点は、以下の詳細な記載と添付図面から明らかになるであろう。
【図面の簡単な説明】
【００１３】
【図１】実施形態における被監視者監視システムの構成を示す図である。
【図２】前記被監視者監視システムにおける管理サーバ装置の構成を示す図である。
【図３】前記管理サーバ装置に記憶される監視情報テーブルの構成を示す図である。
【図４】前記管理サーバ装置に記憶されるセンサ情報テーブルの構成を示す図である。
【図５】前記管理サーバ装置に記憶される監視者属性情報テーブルの構成を示す図である。
【図６】前記管理サーバ装置に記憶される送信先状況情報テーブルの構成を示す図である。
【図７】前記被監視者監視システムにおける携帯端末装置の構成を示す図である。
【図８】前記被監視者監視システムにおける管理サーバ装置の動作を示すフローチャートである。
【図９】図８に示す管理サーバ装置の動作における監視情報の処理を示すフローチャートである。
【図１０】前記被監視者監視システムにおける携帯端末装置の動作を示すフローチャートである。
【図１１】前記携帯端末装置に表示されるログイン画面の一例を示す図である。
【図１２】前記携帯端末装置に表示される待受け画面の一例を示す図である。
【図１３】前記携帯端末装置に表示される監視情報画面の一例を示す図である。
【図１４】前記携帯端末装置に表示されるナースコール受付画面の一例を示す図である。
【図１５】前記被監視者監視システムにおける看介護記録の動作を示すシーケンス図である。
【図１６】前記携帯端末装置に表示される対象者選択画面の一例を示す図である。
【図１７】前記携帯端末装置に表示されるサブメニュー画面の一例を示す図である。
【図１８】前記携帯端末装置に表示される書式選択画面の一例を示す図である。
【図１９】前記携帯端末装置に表示される食事ケア用記録書式画面の一例を示す図である。
【図２０】前記携帯端末装置に表示される排泄ケア用記録書式画面の一例を示す図である。
【発明を実施するための形態】
【００１４】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１５】
実施形態における被監視者監視システムは、監視すべき（見守るべき）監視対象（見守り対象）である被監視者（見守り対象者）Ｏｂを監視するものであり、被監視者Ｏｂに対応して設けられ、被監視者Ｏｂに関わる、予め設定された所定のイベント（事象）を検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備える。前記中央処理装置は、送信先の状況を表す所定の送信先状況情報を記憶する送信先状況情報記憶部と、前記センサ装置から前記イベントを受信した場合に、前記送信先状況情報記憶部に記憶された前記送信先状況情報に基づいて通知先の端末装置を決定し、前記決定した端末装置へ、前記センサ装置から受信した前記イベントを送信する監視処理部とを備える。前記端末装置は、１種類の装置であって良いが、本実施形態態では、前記端末装置は、固定端末装置と携帯端末装置との２種類の装置である。これら固定端末装置と携帯端末装置との主な相違は、固定端末装置が固定的に運用される一方、携帯端末装置が例えば看護師や介護士等の監視者（ユーザ）に携行されて運用される点であり、これら固定端末装置と携帯端末装置とは、略同様である。このような被監視者監視システムについて、以下、より具体的に説明する。
【００１６】
（構成）
まず、本実施形態における被監視者監視システムの構成について説明する。図１は、実施形態における被監視者監視システムの構成を示す図である。図２は、前記被監視者監視システムにおける管理サーバ装置の構成を示す図である。図３は、前記管理サーバ装置に記憶される監視情報テーブルの構成を示す図である。図４は、前記管理サーバ装置に記憶されるセンサ情報テーブルの構成を示す図である。図５は、前記管理サーバ装置に記憶される監視者属性情報テーブルの構成を示す図である。図６は、前記管理サーバ装置に記憶される送信先状況情報テーブルの構成を示す図である。図７は、前記被監視者監視システムにおける携帯端末装置の構成を示す図である。
【００１７】
より具体的には、被監視者監視システムＭＳは、例えば、図１に示すように、１または複数のセンサ装置ＳＵ（ＳＵ−１〜ＳＵ−４）と、管理サーバ装置ＳＶと、固定端末装置ＳＰと、１または複数の携帯端末装置ＴＡ（ＴＡ−１、ＴＡ−２）と、構内交換機（ＰＢＸ、Ｐｒｉｖａｔｅ  ｂｒａｎｃｈ  ｅｘｃｈａｎｇｅ）ＣＸとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。ネットワークＮＷは、通信信号を中継する例えばリピーター、ブリッジおよびルーター等の中継機が備えられても良い。図１に示す例では、これら複数のセンサ装置ＳＵ−１〜ＳＵ−４、管理サーバ装置ＳＶ、固定端末装置ＳＰ、複数の携帯端末装置ＴＡ−１、ＴＡ−２および構内交換機ＣＸは、Ｌ２スイッチの集線装置（ハブ、ＨＵＢ）ＬＳおよびアクセスポイントＡＰを含む有線および無線の混在したＬＡＮ（例えばＩＥＥＥ８０２．１１規格に従ったＬＡＮ等）ＮＷによって互いに通信可能に接続されている。より詳しくは、複数のセンサ装置ＳＵ−１〜ＳＵ−４、管理サーバ装置ＳＶ、固定端末装置ＳＰおよび構内交換機ＣＸは、集線装置ＬＳに接続され、複数の携帯端末装置ＴＡ−１、ＴＡ−２は、アクセスポイントＡＰを介して集線装置ＬＳに接続されている。そして、ネットワークＮＷは、ＴＣＰ（Ｔｒａｎｓｍｉｓｓｉｏｎ  ｃｏｎｔｒｏｌ  ｐｒｏｔｏｃｏｌ）およびＩＰ（Ｉｎｔｅｒｎｅｔ  ｐｒｏｔｏｃｏｌ）等のインターネットプロトコル群が用いられることによっていわゆるイントラネットを構成する。
【００１８】
構内交換機（回線切換機）ＣＸは、ネットワークＮＷに接続され、携帯端末装置ＴＡ同士における発信、着信および通話等の内線電話の制御を行って前記携帯端末装置ＴＡ同士の内線電話を実施し、そして、例えば固定電話網や携帯電話網等の公衆電話網ＰＮを介して例えば固定電話機や携帯電話機等の外線電話機ＴＬに接続され、外線電話機ＴＬと携帯端末装置ＴＡとの間における発信、着信および通話等の外線電話の制御を行って外線電話機ＴＬと携帯端末装置ＴＡとの間における外線電話を実施するものである。構内交換機ＣＸは、例えば、デジタル交換機や、ＩＰ−ＰＢＸ（Ｉｎｔｅｒｎｅｔ  Ｐｒｏｔｏｃｏｌ  Ｐｒｉｖａｔｅ  Ｂｒａｎｃｈ  ｅＸｃｈａｎｇｅ）等である。
【００１９】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーション等の複数の部屋を備える介護施設の建物に配設されている。
【００２０】
センサ装置ＳＵは、ネットワークＮＷを介して他の装置ＳＶ、ＳＰ、ＴＡと通信する通信機能等を備え、被監視者Ｏｂに関わる所定のイベント（事象）を検知して管理サーバ装置ＳＶへ通知する装置である。前記所定のイベントは、好適には対処が必要な所定のイベントであり、例えば、本実施形態では、被監視者Ｏｂにおける予め設定された所定の行動およびナースコール（ＮＣ）である。より具体的には、センサ装置ＳＵは、例えば、ネットワークＮＷを介して他の装置ＳＶ、ＳＰ、ＴＡと通信するための通信インターフェース回路（例えばＬＡＮカード等）、被監視者Ｏｂを上方（好ましくは直上（例えば天井））から撮像して画像を生成する画像センサ（例えば可視カメラや近赤外カメラ等）、前記画像センサの出力（画像）に基づいて被監視者Ｏｂにおける予め設定された所定の行動を前記所定のイベントの一例として検知して管理サーバ装置ＳＶへ通知する行動検知処理回路、ナースコールを前記所定のイベントの他の一例として受け付けて管理サーバ装置ＳＶへ通知するナースコール処理回路、端末装置ＳＰ、ＴＡ等との間で音声通話を行う通話処理回路、前記画像センサの出力（画像（静止画および動画を含む））を所定の他の装置ＳＶ、ＳＰ、ＴＡへ送信する画像送信処理回路、これらを制御する制御回路、および、例えば記憶素子等の、その周辺回路を備えて構成される。
【００２１】
前記所定の行動は、例えば、被監視者Ｏｂが寝具に入った入床、被監視者Ｏｂが起きた起床、被監視者Ｏｂが寝具から離れた離床、および、被監視者Ｏｂが倒れた転倒の４つの行動である。なお、前記転倒には、被監視者Ｏｂが寝具から落ちた転落が含まれて良く、あるいは、前記転倒とは別途に、前記所定の行動には、前記転落が含まれて良い。前記行動検知処理回路は、例えば、前記画像センサで撮像した画像（対象画像）に基づいて被監視者Ｏｂの頭部を検出し、この検出した被監視者Ｏｂの頭部における大きさの時間変化に基づいて被監視者Ｏｂの起床および転倒を検知し、前記画像センサで撮像した対象画像に基づいて被監視者Ｏｂを検出し、この検出した被監視者Ｏｂと寝具との重なり具合（重なり領域の大きさ）に基づいて被監視者Ｏｂの離床および入床を検知する。より詳しくは、まず、寝具ＢＤの所在領域、第１閾値Ｔｈ１および第２閾値Ｔｈ２が記憶される。前記第１閾値Ｔｈ１は、寝具ＢＤの所在領域内における横臥姿勢の頭部の大きさと座位姿勢の頭部の大きさとを識別するための値である。前記第２閾値Ｔｈ２は、寝具ＢＤの所在領域を除く居室ＲＭ内における横臥姿勢の頭部の大きさであるか否かを識別するための値である。そして、前記行動検知処理回路は、対象画像から例えば背景差分法やフレーム差分法によって被監視者Ｏｂの人物の領域として動体領域を抽出する。次に、前記行動検知処理回路は、この抽出した動体領域から、例えば円形や楕円形のハフ変換によって、また例えば予め用意された頭部のモデルを用いたパターンマッチングによって、また例えば頭部検出用に学習したニューラルネットワークによって、被監視者Ｏｂの頭部領域を抽出する。そして、前記行動検知処理回路は、この抽出した頭部の位置および大きさから起床および転倒を検知する。例えば、前記行動検知処理回路は、この抽出した頭部の位置が寝具ＢＤの所在領域内であって、前記抽出した頭部の大きさが前記第１閾値Ｔｈ１を用いることによって横臥姿勢の大きさから座位姿勢の大きさへ時間変化した場合には、起床と判定し、前記起床を検知する。例えば、前記行動検知処理回路は、この抽出した頭部の位置が寝具ＢＤの所在領域を除く居室ＲＭ内であって、前記抽出した頭部の大きさが前記第２閾値Ｔｈ２を用いることによって或る大きさから横臥姿勢の大きさへ時間変化した場合には、転倒と判定し、前記転倒を検知する。前記行動検知処理回路は、対象画像から上述のように抽出した動体領域と寝具ＢＤの所在領域とが重なった重なり領域を検出し、この重なり領域の時間変化から離床および入床を検知する。例えば、前記行動検知処理回路は、この検出した重なり領域が存在する状態から、前記重なり領域が存在しなくなった状態へ時間変化した場合には、離床と判定し、前記離床を検知する。例えば、前記行動検知処理回路は、この検出した重なり領域が存在しない状態から、前記重なり領域の存在の検出を介して、前記重なり領域全体が寝具ＢＤの所在領域内で重なった状態（すなわち、前記動体領域が前記寝具ＢＤの所在領域内に完全に包含された状態）へ時間変化した場合には、入床と判定し、前記入床を検知する。
【００２２】
前記所定のイベントは、第１イベント通知通信信号によってセンサ装置ＳＵから管理サーバ装置ＳＶへ通知される。この第１イベント通知通信信号には、自機のセンサＩＤおよび前記イベントの内容を表すイベント情報が収容される。前記センサＩＤ（センサ識別子）は、センサ装置ＳＵを特定し識別するための識別子である。前記イベント情報は、本実施形態では、入床、起床、離床、転倒およびナースコールのうちの１または複数である。第１イベント通知通信信号には、前記画像センサで撮像した画像が収容されても良い。特に、前記イベント情報が入床、起床、離床および転倒のうちのいずれかである場合には、前記所定の行動の検知に用いられた画像（前記検知が複数の画像によって実施された場合には例えば最後の画像）が収容されることが好ましい。前記画像は、静止画および動画のうちの少なくとも一方であって良く、本実施形態では、後述するように、まず、静止画が通知され、ユーザの要求に応じて動画が配信される。なお、まず、動画が配信されても良く、また、静止画および動画が送信され、画面分割で静止画および動画が端末装置ＳＰ、ＴＡに表示されても良い。
【００２３】
図１には、一例として、４個の第１ないし第４センサ装置ＳＵ−１〜ＳＵ−４が示されており、第１センサ装置ＳＵ−１は、被監視者Ｏｂの一人であるＡさんＯｂ−１の居室ＲＭ−１（不図示）に配設され、第２センサ装置ＳＵ−２は、被監視者Ｏｂの一人であるＢさんＯｂ−２の居室ＲＭ−２（不図示）に配設され、第３センサ装置ＳＵ−３は、被監視者Ｏｂの一人であるＣさんＯｂ−３の居室ＲＭ−３（不図示）に配設され、そして、第４センサ装置ＳＵ−４は、被監視者Ｏｂの一人であるＤさんＯｂ−４の居室ＲＭ−４（不図示）に配設されている。
【００２４】
管理サーバ装置ＳＶは、ネットワークＮＷを介して他の装置ＳＵ、ＴＡ、ＳＰと通信する通信機能を備え、センサ装置ＳＵから前記所定のイベントの通知を受けると、被監視者Ｏｂに対する監視に関する情報（監視情報（本実施形態では例えば前記所定のイベント（センサ装置ＳＵで検知した所定の行動の種類やセンサ装置ＳＵで受け付けたナースコール）、被監視者Ｏｂの画像（静止画および動画）、および、前記通知を受けた時刻等））を管理し、前記所定のイベントを所定の端末装置ＳＰ、ＴＡへ通知（再通知、再報知、送信）し、クライアント（本実施形態では端末装置ＳＰ、ＴＡ等）の要求に応じたデータを前記クライアントに提供し、被監視者監視システムＭＳ全体を管理する装置（中央処理装置の一例）である。本実施形態では、管理サーバ装置ＳＶは、送信先の状況を表す所定の送信先状況情報に基づいて、前記所定のイベントに対する通知先の端末装置ＳＰ、ＴＡを決定する。このような管理サーバ装置ＳＶは、例えば、図２に示すように、サーバ側通信インターフェース部（ＳＶ通信ＩＦ部）２１と、サーバ側制御処理部（ＳＶ制御処理部）２２と、サーバ側記憶部（ＳＶ記憶部）２３とを備える。
【００２５】
ＳＶ通信ＩＦ部２１は、ＳＶ制御処理部２２に接続され、ＳＶ制御処理部２２の制御に従って通信を行うための通信回路である。ＳＶ通信ＩＦ部２１は、ＳＶ制御処理部２２から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＵ、ＳＰ、ＴＡへ送信する。ＳＶ通信ＩＦ部２１は、ネットワークＮＷを介して他の装置ＳＵ、ＳＰ、ＴＡから通信信号を受信し、この受信した通信信号からデータを取り出し、この取り出したデータをＳＶ制御処理部２２が処理可能な形式のデータに変換してＳＶ制御処理部２２へ出力する。ＳＶ通信ＩＦ部２１は、例えば、ＩＥＥＥ８０２．１１規格等に従った通信インターフェース回路を備えて構成される。
【００２６】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、管理サーバ装置ＳＶの各部を当該各部の機能に応じてそれぞれ制御するＳＶ制御プログラムや、被監視者Ｏｂに対する監視に関する所定の情報処理を実行するＳＶ監視処理プログラムや、前記送信先状況情報をＳＶ記憶部２３に記憶する送信先状況情報記憶処理プログラムや、看護および介護のうちの少なくとも一方を含む看介護の内容の記録である看介護記録に関する所定の情報処理を実行するＳＶ看介護記録処理プログラム等の制御処理プログラムが含まれる。前記各種の所定のデータには、自機の、管理サーバ装置ＳＶを特定し管理サーバ装置ＳＶを識別するための識別子であるサーバ識別子（サーバＩＤ）や、被監視者Ｏｂの前記監視情報や、当該被監視者監視システムＳＭにおける各装置ＳＵ、ＳＰ、ＴＡの通信アドレスや、センサ装置ＳＵに関するセンサ情報や、当該被監視者監視システムＭＳに接続しその利用（使用）を開始できる資格に関する資格情報や、監視者（ユーザ）における所定の属性を表す属性情報や、送信先の状況を表す所定の送信先状況情報や、看介護記録を記入するための記録書式に関する書式情報や、看介護記録に関する看介護記録情報等の、各プログラムを実行する上で必要なデータ等が含まれる。ＳＶ記憶部２３は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＳＶ記憶部２３は、前記所定のプログラムの実行中に生じるデータ等を記憶するいわゆるＳＶ制御処理部２２のワーキングメモリとなるＲＡＭ（Ｒａｎｄｏｍ  Ａｃｃｅｓｓ  Ｍｅｍｏｒｙ）等を含む。これら監視情報、通信アドレス、センサ情報、資格情報、属性情報、通信先状況情報、書式情報および看介護記録情報それぞれを記憶するために、ＳＶ記憶部２３は、サーバ側監視情報記憶部（ＳＶ監視情報記憶部）２３１、通信アドレス情報記憶部２３２、サーバ側センサ情報記憶部（ＳＶセンサ情報記憶部）２３３、資格情報記憶部２３４、監視者属性情報記憶部２３５、送信先状況情報記憶部２３６、書式情報記憶部２３７および看介護記録情報記憶部２３８を機能的に備える。
【００２７】
ＳＶ監視情報記憶部２３１は、各装置ＳＵ、ＳＰ、ＴＡそれぞれとの間で送受信した被監視者Ｏｂの監視情報を記憶するものである。より具体的には、ＳＶ監視情報記憶部２３１には、本実施形態では、前記監視情報として、第１イベント通知通信信号等の通信信号に収容された各情報に基づいて、センサＩＤ、イベント情報（事象情報、本実施形態では入床、起床、離床、転倒およびナースコール）、受信時刻、対象画像（静止画および動画）および対処の有無が互いに対応付けて記憶される。
【００２８】
この監視情報は、本実施形態では、テーブル形式でＳＶ監視情報記憶部２３１に記憶されている。この監視情報を登録するサーバ側監視情報テーブル（ＳＶ監視情報テーブル）ＭＴ−ＳＶは、例えば、図３に示すように、各装置ＳＵ、ＳＰ、ＴＡから受信した通信信号に収容されたセンサＩＤを登録するセンサＩＤフィールド２３１１と、前記受信した通信信号に収容されたイベント情報を登録するイベントフィールド（事象フィールド）２３１２と、前記受信した通信信号の受信時刻を登録する受信時刻フィールド２３１３と、前記受信した通信信号に収容された前記静止画を登録する静止画フィールド２３１４と、ライブ動画の取得先として、前記受信した通信信号に収容されたセンサＩＤに対応するセンサ装置ＳＵの通信アドレス（例えばＩＰアドレス等）を登録する動画フィールド２３１５と、前記受信した通信信号に収容されたイベント情報に対する対応の受付の有無を登録する対応フィールド２３１６とを備え、前記受信した通信信号ごと（各イベントごと）にレコードを備える。静止画フィールド２３１４には、例えば、静止画の画像データが登録されて良く、また例えば、静止画の画像データのファイル名が登録されて良い。対応フィールド２３１６には、後述するように、前記受信した通信信号に収容されたイベント情報に対する対処（対応、処置、措置）する意思がある旨（“対応する”）を端末装置ＳＰ、ＴＡで受け付けたか否かを表すフラグ（対応フラグ）が登録される。例えば、本実施形態では、対応フィールド２３１６には、前記受信した通信信号に収容されたイベント情報（イベントフィールド２３１２に登録されたイベント情報）に対処する意思がある旨（“対応する”）を端末装置ＳＰ、ＴＡで受け付けたことを意味する対応フラグ「１」、あるいは、前記受信した通信信号に収容されたイベント情報に対処する意思がある旨（“対応する”）を端末装置ＳＰ、ＴＡで受け付けていないことを意味する対応フラグ「０」が登録される。なお、デフォルトでは、対応フィールド２３１６には、未受付を意味する対応フラグ「０」が登録される。なお、前記所定の行動を検知した検知時刻または前記ナースコールを受け付けたナースコール受付時刻が第１イベント通知通信信号に収容される場合には、受信時刻に代え、前記検知時刻または前記ナースコール受付時刻が登録されても良い。
【００２９】
通信アドレス情報記憶部２３２は、各装置ＳＵ、ＳＰ、ＴＡのＩＤ（センサＩＤ、端末ＩＤ）とその通信アドレスとの対応関係（通信アドレス対応関係）を記憶するものである。端末ＩＤ（端末識別子）は、端末装置ＳＰ、ＴＡを特定し端末装置ＳＰ、ＴＡを識別するための識別子である。センサＩＤ、サーバＩＤおよび端末ＩＤそれぞれは、例えば所定の記号列から成るシリアル番号等であって良い。
【００３０】
ＳＶセンサ情報記憶部２３３は、前記センサ情報を記憶するものである。本実施形態では、前記センサ情報は、センサ装置ＳＵに関する情報であり、センサ装置ＳＵのセンサＩＤと被監視者Ｏｂの被監視者名とを互いに対応付けた情報である。
【００３１】
このようなセンサ情報は、本実施形態では、テーブル形式でＳＶセンサ情報記憶部２３３に記憶される。より具体的には、センサ情報を登録するサーバ側センサ情報テーブル（ＳＶセンサ情報テーブル）ＳＴ−ＳＶは、例えば、図４に示すように、センサＩＤを登録するセンサＩＤフィールド２３３１と、前記センサＩＤフィールド２３３１に登録されているセンサＩＤを持つセンサ装置ＳＵの配設場所を登録する配設場所フィールド２３３２と、前記センサＩＤフィールド２３３１に登録されているセンサＩＤを持つセンサ装置ＳＵによって監視される被監視者Ｏｂ（すなわち、前記センサＩＤフィールド２３３１に登録されているセンサＩＤを持つセンサ装置ＳＵの配設場所に居る被監視者Ｏｂ）の被監視者名を登録する被監視者名フィールド２３３３と、前記センサＩＤフィールド２３３１に登録されているセンサＩＤを持つセンサ装置ＳＵ、その配設場所およびその被監視者Ｏｂに関する備考を登録する備考フィールド２３３４とを備え、センサＩＤ（すなわち、センサ装置ＳＵ）ごとにレコードを持つ。
【００３２】
資格情報記憶部２３４は、前記資格情報を記憶するものである。前記資格情報は、当該被監視者監視システムＭＳに接続しその利用（使用）を開始できる資格に関する情報であり、例えば、本実施形態では、監視者の監視者名（ユーザ名）とパスワードとを互いに対応付けた情報である。
【００３３】
監視者属性情報記憶部２３５は、前記属性情報を記憶するものである。前記属性情報は、当該被監視者監視システムＭＳにログインしているログイン中の端末装置ＳＰ、ＴＡを取り扱う監視者（ユーザ）における所定の属性を表す情報であり、監視者の監視者名とその属性を互いに対応付けた情報である。前記所定の属性は、本実施形態では、当該被監視者監視システムＭＳにおける職種や立場であり、より具体的には、介護士、看護師、理学療法士、医師、班長等の被監視者Ｏｂに対する担当責任者、介護士長や看護師長等の介護士や看護師に対する責任者、および、施設の責任者である施設長等である。
【００３４】
このような属性情報は、本実施形態では、テーブル形式で監視者属性情報記憶部２３５に記憶される。より具体的には、属性情報を登録する監視者属性情報テーブルＰＴは、例えば、図５に示すように、監視者名を登録する監視者名フィールド２３５１と、前記監視者名フィールド２３５１に登録されている監視者名を持つ監視者の前記属性を登録する属性フィールド２３５２とを備え、監視者（すなわち、監視者名）ごとにレコードを持つ。
【００３５】
送信先状況情報記憶部２３６は、前記送信先状況情報を記憶するものである。前記送信先状況情報は、センサ装置ＳＵから受信したイベントの通知を送信する送信先の状況を表す所定の情報であり、例えば、本実施形態では、端末装置ＳＰ、ＴＡの端末ＩＤ、その端末装置ＳＰ、ＴＡのログイン状況、その端末装置ＳＰ、ＴＡの使用状況、および、その端末装置ＳＰ、ＴＡを取り扱う監視者の属性とを互いに対応付けた情報である。前記ログイン状況は、端末装置ＳＰ、ＴＡが当該被監視者監視システムＭＳにログインしているか否かを表す情報である。前記使用状況は、端末装置ＳＰ、ＴＡが外部から所定のデータの入力を受け付けるために使用中であるか否かを表す情報である。
【００３６】
このような送信先状況情報は、本実施形態では、テーブル形式で送信先状況情報記憶部２３６に記憶される。より具体的には、送信先状況情報を登録する送信先状況情報テーブルＣＴは、例えば、図６に示すように、端末装置ＳＰ、ＴＡの端末ＩＤを登録する端末ＩＤフィールド２３６１と、前記端末ＩＤフィールド２３６１に登録されている端末ＩＤを持つ端末装置ＳＰ、ＴＡのログイン状況を登録するログイン状況フィールド２３６２と、前記端末ＩＤフィールド２３６１に登録されている端末ＩＤを持つ端末装置ＳＰ、ＴＡの使用状況を登録する使用状況フィールド２３６３と、前記端末ＩＤフィールド２３６１に登録されている端末ＩＤを持つ端末装置ＳＰ、ＴＡを取り扱う監視者の属性を登録する属性フィールド２３６４とを備え、端末装置ＳＰ、ＴＡ（すなわち、端末ＩＤ）ごとにレコードを持つ。
【００３７】
ログイン状況フィールド２３６２には、前記ログイン状況を表すフラグ（ログイン状況フラグ）が登録される。例えば、本実施形態では、ログイン状況フィールド２３６２には、端末装置ＳＰ、ＴＡが、当該被監視者監視システムＭＳにログインしているログイン中の端末装置ＳＰ、ＴＡであることを表すログイン状況フラグ「１」（ログイン端末情報の一例）、あるいは、端末装置ＳＰ、ＴＡが、当該被監視者監視システムＭＳからログアウトしているログアウト中の端末装置ＳＰ、ＴＡであることを表すログイン状況フラグ「０」（ログアウト端末情報の一例）が登録される。
【００３８】
使用状況フィールド２３６３には、前記使用状況を表すフラグ（使用状況フラグ）が登録される。例えば、本実施形態では、使用状況フィールド２３６３には、端末装置ＳＰ、ＴＡが、外部から所定のデータの入力を受け付けるために使用中である入力使用中の端末装置ＳＰ、ＴＡであることを表す使用状況フラグ「１」（入力使用中端末情報の一例）、あるいは、端末装置ＳＰ、ＴＡが、外部から所定のデータの入力を受け付けるために使用中ではなく、前記イベントの通知を待ち受ける待受け中の端末装置ＳＰ、ＴＡであることを表す使用状況フラグ「０」（待受け中端末情報の一例）が登録される。
【００３９】
なお、ログイン状況、使用状況および属性が不明である場合には、ログイン状況フィールド２３６２、使用状況フィールド２３６３および属性フィールド２３６４それぞれに、その旨を表す所定の符号、例えば「＊」等が登録され、デフォルトの場合やログイン状況フィールド２３６２にログイン状況フラグ「０」が登録される場合では、この前記所定の符号（例えば「＊」等）が登録される。
【００４０】
書式情報記憶部２３７は、前記書式情報を記憶するものである。前記書式情報は、看護および介護のうちの少なくとも一方を含む看介護の内容を看介護記録として入力するための記録書式に関する情報であり、前記記録書式は、予め規定された所定の様式（フォーマット、入力フォーム）として、前記看介護の種類に応じて複数、予め用意されている。
【００４１】
前記看介護の種類は、看護の実務や介護の実務等に応じて種々ある。例えば、前記看介護の種類として、定期性を有するケア、および、場所に依存するケア等が挙げられる。より具体的には、定期性を有するケアとして、日々実施される、モーニングケア（着替え、洗面および義歯装着等）、食事ケア（朝食ケア、昼食ケア、夕食ケア）、間食ケア、投薬ケア（服薬ケア）、歯磨きケア、水分補給ケア、バイタルチェック、イブニングケア（着替え、歯磨き、義歯外し、ベッド移乗等）、巡回、および、体位交換等、ならびに、曜日ごとや日にちごとに実施される、入浴ケア、リハビリ、レクリエーション、往診、身体清拭および体重測定等が挙げられる。場所に依存するケアとして、排泄ケア等が挙げられる。これら看介護は、例えばリビング、居室ＲＭ、トイレ、浴場およびナースステーション等の場所に依存したり、また例えば、看護師や介護士等、あるいは、当該看介護の担当者等の監視者に依存したりする。記録書式は、このような看介護の内容に応じて予め用意されており、例えば、モーニングケア用の記録書式、食事ケア用の記録書式、間食ケア用の記録書式、投薬ケア用の記録書式（服薬ケア用の記録書式）、歯磨きケア用の記録書式、および、水分補給ケア用の記録書式等がある。その一例が後述の図１９および図２０に示されている。図１９には、食事ケア用の記録書式の一例が携帯端末装置ＴＡに表示される画面で示されている。図２０には、排泄ケア用の記録書式の一例が携帯端末装置ＴＡに表示される画面で示されている。本実施形態では、前記書式情報は、このような端末装置ＳＰ、ＴＡに表示される記録書式画面を形成する記録書式の電子ファイルであり、前記記録書式の電子ファイルは、予め規定された所定の様式（フォーマット、入力フォーム）に従った記録書式を所定の記録書式画面で端末装置ＳＰ、ＴＡに表示できるように、例えばＨＴＭＬ（Ｈｙｐｅｒ  Ｔｅｘｔ  Ｍａｒｋｕｐ  Ｌａｎｇｕａｇｅ）やＸＭＬ（Ｅｘｔｅｎｓｉｂｌｅ  Ｍａｒｋｕｐ  Ｌａｎｇｕａｇｅ）等のマークアップ言語で記述され、書式情報記憶部２３７に記憶される。
【００４２】
看介護記録情報記憶部２３８は、前記看介護記録情報を記憶するものである。看介護記録情報記憶部２３８は、本実施形態では、看介護の対象者である被監視者名と、前記看介護記録の内容とが互いに対応付けられて前記看介護記録情報として記憶する。
【００４３】
ＳＶ制御処理部２２は、管理サーバ装置ＳＶの各部を当該各部の機能に応じてそれぞれ制御し、センサ装置ＳＵから前記所定のイベントの通知を受けると、被監視者Ｏｂに対する監視に関する監視情報を管理し、前記所定のイベントを送信先状況情報に基づく所定の端末装置ＳＰ、ＴＡへ通知し、クライアントの要求に応じたデータを前記クライアントに提供し、被監視者監視システムＭＳ全体を管理するための回路である。本実施形態では、ＳＶ制御処理部２２は、例えば所定の記録書式の送信や前記所定の記録書式を用いて記入された看介護記録の記憶等の、前記看介護記録に関する所定の情報処理を実行する。ＳＶ制御処理部２２は、例えば、ＣＰＵ（Ｃｅｎｔｒａｌ  Ｐｒｏｃｅｓｓｉｎｇ  Ｕｎｉｔ）およびその周辺回路を備えて構成される。ＳＶ制御処理部２２は、前記制御処理プログラムが実行されることによって、サーバ側制御部（ＳＶ制御部）２２１、サーバ側監視処理部（ＳＶ監視処理部）２２２、送信先状況情報記憶処理部２２３およびサーバ側看介護記録処理部（ＳＶ看介護記録処理部）２２４を機能的に備える。
【００４４】
ＳＶ制御部２２１は、管理サーバ装置ＳＶの各部を当該各部の機能に応じてそれぞれ制御し、管理サーバ装置ＳＶの全体制御を司るものである。
【００４５】
ＳＶ監視処理部２２２は、被監視者Ｏｂに対する監視に関する所定の情報処理を実行するものである。より具体的には、ＳＶ監視処理部２２２は、センサ装置ＳＵから前記所定のイベントの通知を受信すると被監視者Ｏｂに対する監視に関する監視情報を管理し、前記所定のイベントを送信先状況情報に基づく所定の端末装置ＳＰ、ＴＡへ通知する。より具体的には、ＳＶ監視処理部２２２は、センサ装置ＳＵから前記第１イベント通知通信信号を受信すると、この受信した第１イベント通知通信信号に収容された、被監視者Ｏｂに対する監視に関する監視情報をＳＶ監視情報記憶部２３１に記憶（記録）する。ＳＶ監視処理部２２２は、送信先状況情報記憶部２３６に記憶された送信先状況情報に基づいて通知先の端末装置ＳＰ、ＴＡを決定し、この決定した端末装置ＳＰ、ＴＡへ、センサ装置ＳＵから受信した前記所定のイベントを第２イベント通知通信信号で送信する。この決定では、ＳＶ監視処理部２２２は、当該被監視者監視システムＭＳにログインしているログイン中の端末装置ＳＰ、ＴＡから、外部から所定のデータの入力を受け付けるために使用中である入力使用中の端末装置ＳＰ、ＴＡの除いた、残余の端末装置ＳＰ、ＴＡを前記通知先の端末装置ＳＰ、ＴＡとして決定する。本実施形態では、この決定では、ＳＶ監視処理部２２２は、前記残余の端末装置ＳＰ、ＴＡが１個または０個である場合（すなわち、前記残余の端末装置ＳＰ、ＴＡが２個未満である場合）、前記入力使用中の端末装置ＳＰ、ＴＡの一部または全部をさらに前記通知先の端末装置ＳＰ、ＴＡとして決定する。前記入力使用中の端末装置ＳＰ、ＴＡの一部をさらに前記通知先の端末装置ＳＰ、ＴＡとして決定する場合では、例えば、ＳＶ監視処理部２２２は、送信先状況情報記憶部２３６に記憶されている属性情報に基づいて、前記入力使用中の端末装置ＳＰ、ＴＡの一部をさらに前記通知先の端末装置ＳＰ、ＴＡとして決定する。本実施形態では、この決定では、ＳＶ監視処理部２２２は、前記ログイン中の端末装置ＳＰ、ＴＡから、予め設定された特定の属性を前記属性情報として持つ端末装置ＳＰ、ＴＡをさらに前記通知先の端末装置ＳＰ、ＴＡとして決定する。前記第２イベント通知通信信号には、前記第１イベント通知通信信号に収容されたイベント情報が前記所定の行動（入床、起床、離床および転倒のうちの１または複数）である場合には、第１イベント通知通信信号に収容されたセンサＩＤ、イベント情報および対象画像、ならびに、動画のダウンロード先として、第１イベント通知通信信号に収容されたセンサＩＤを持つセンサ装置ＳＵに対応する通信アドレスが収容される。この通信アドレスは、前記受信した第１イベント通知通信信号を送信したセンサ装置ＳＵに対応するセンサＩＤに基づいて、通信アドレス情報記憶部２３２に記憶された通信アドレス情報から選定（検索）される。前記第１イベント通知通信信号に収容されたイベント情報が前記ナースコールである場合には、前記第２イベント通知通信信号には、第１イベント通知通信信号に収容されたセンサＩＤおよびイベント情報（ナースコール）が収容される。
【００４６】
送信先状況情報記憶処理部２２３は、送信先状況情報を送信先状況情報記憶部２３６に記憶するものである。
【００４７】
送信先状況情報記憶処理部２２３は、ログインを要求するための通信信号（ログイン通信信号）を端末装置ＳＰ、ＴＡから受信した場合に、前記ログイン通信信号の送信元の端末装置ＳＰ、ＴＡに対してログイン端末情報（本実施形態では、ログイン状況フラグ「１」）およびその端末装置ＳＰ、ＴＡを取り扱う監視者の属性情報を送信先状況情報記憶部２３６に記憶する。
【００４８】
送信先状況情報記憶処理部２２３は、ログアウトを要求するための通信信号（ログアウト通信信号）を端末装置ＳＰ、ＴＡから受信した場合に、前記ログアウト通信信号の送信元の端末装置ＳＰ、ＴＡに対してログアウト端末情報（本実施形態では、ログイン状況フラグ「０」）を送信先状況情報記憶部２３６に記憶する。
【００４９】
送信先状況情報記憶処理部２２３は、端末装置ＳＰ、ＴＡが外部から所定のデータの入力を受け付けるために使用中である場合に、その端末装置ＳＰ、ＴＡに対して入力使用中端末情報（本実施形態では、使用状況フラグ「１」）を送信先状況情報記憶部２３６に記憶する。本実施形態では、後述するように、ＳＶ看介護記録処理部２２４が、看介護の内容を看介護記録として入力するための記録書式を収容する通信信号（書式通知通信信号）を端末装置ＳＰ、ＴＡへ送信した場合に、送信先状況情報記憶処理部２２３は、その送信先の端末装置ＳＰ、ＴＡに対して入力使用中端末情報を送信先状況情報記憶部２３６に記憶する。
【００５０】
送信先状況情報記憶処理部２２３は、端末装置ＳＰ、ＴＡが前記イベントの通知を待ち受ける待受け中である場合に、その端末装置ＳＰ、ＴＡに対する待受け中端末情報（本実施形態では、使用状況フラグ「０」）を送信先状況情報記憶部２３６に記憶する。本実施形態では、後述するように、看介護記録として看介護の内容を収容する通信信号（看介護記録通知通信信号）を受信した場合に、送信先状況情報記憶処理部２２３は、その送信元の端末装置ＳＰ、ＴＡに対して待受け中端末情報を送信先状況情報記憶部２３６に記憶する。送信先状況情報記憶処理部２２３は、前記イベントの通知を待ち受ける待受け中である旨を通知するための通信信号（待受け中通知通信信号）を端末装置ＳＰ、ＴＡから受信した場合に、その送信元の端末装置ＳＰ、ＴＡに対して待受け中端末情報を送信先状況情報記憶部２３６に記憶する。本実施形態では、前記ログイン通信信号は、待受け中通知通信信号と兼用されている。なお、本実施形態では、上述の看介護記録通知通信信号が前記待受け中通知通信信号と兼用されているとも言える。
【００５１】
ＳＶ看介護記録処理部２２３は、看護および介護のうちの少なくとも一方を含む看介護の内容の記録である看介護記録に関する所定の情報処理を実行するものである。より具体的には、ＳＶ看介護記録処理部２２３は、端末装置ＳＰ、ＴＡから、１人の被監視者Ｏｂに対して入力する看介護記録における看介護の種類を通知するための通信信号（選択種類通知通信信号）をＳＶ通信ＩＦ部２１で受信した場合に、ＳＶ記憶部２３の書式情報記憶部２３７から、前記選択種類通知通信信号に収容された看介護の種類に対応する記録書式を取り出し、この取り出した記録書式を収容する通信信号（書式通知通信信号）を、前記選択種類通知通信信号を送信した送信元の前記端末装置ＳＰ、ＴＡへＳＶ通信ＩＦ部２１で返信する。より詳しくは、ＳＶ看介護記録処理部２２３は、後述のように端末装置ＳＰ、ＴＡとの間で各通信信号を送受信することによって、看介護記録の対象者（被監視者Ｏｂ）を選択する対象者選択処理、前記対象者のために、所定の記録書式を選択する書式選択処理、および、記録書式を用いた看介護記録の記録処理の各処理を順次に実行する。
【００５２】
なお、管理サーバ装置ＳＶは、図２に破線で示すように、必要に応じて、さらに、ＳＶ制御処理部２２に接続され例えば各種コマンドや各種データ等を入力するサーバ側入力部（ＳＶ入力部）２４、ＳＶ入力部２４で入力された各種コマンドや各種データおよび被監視者Ｏｂに対する監視に関する監視情報等を出力するサーバ側出力部（ＳＶ出力部）２５、および、外部機器との間でデータの入出力を行うサーバ側インターフェース部（ＳＶＩＦ部）２６等を備えても良い。
【００５３】
このような管理サーバ装置ＳＶは、例えば、通信機能付きのコンピュータによって構成可能である。
【００５４】
固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られた監視情報を表示したり等することによって、被監視者監視システムＭＳのユーザインターフェース（ＵＩ）として機能する機器である。このような固定端末装置ＳＰは、例えば、通信機能付きのコンピュータによって構成可能である。なお、前記端末装置の一例としての固定端末装置ＳＰは、携帯端末装置ＴＡと同様に動作するが、本明細書では、前記端末装置の他の一例である携帯端末装置ＴＡについて説明される。
【００５５】
携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータを入力したり、管理サーバ装置ＳＶからの通知によってセンサ装置ＳＵで得られた前記監視情報を表示したり、センサ装置ＳＵとの間で音声通話によってナースコールの応答や声かけしたり等するための機器である。
【００５６】
このような携帯端末装置ＴＡは、本実施形態では、例えば、図７に示すように、端末側通信インターフェース部（ＴＡ通信ＩＦ部）３１と、端末側制御処理部（ＴＡ制御処理部）３２と、端末側記憶部（ＴＡ記憶部）３３と、端末側音入出力部（ＴＡ音入出力部）３４と、端末側入力部（ＴＡ入力部）３５と、端末側表示部（ＴＡ表示部）３６と、端末側インターフェース部（ＴＡＩＦ部）３７とを備える。
【００５７】
ＴＡ音入出力部３４は、ＴＡ制御処理部３２に接続され、外部の音を取得して携帯端末装置ＴＡに入力するための回路であって、ＴＡ制御処理部３２の制御に従って音を表す電気信号に応じた音を生成して出力するための回路である。ＴＡ音入出力部３４は、例えば、音の電気信号（音データ）を音の機械振動信号（音響信号）に変換するスピーカ等と、可聴領域の音の機械振動信号を電気信号に変換するマイクロフォン等とを備えて構成される。ＴＡ音入出力部３４は、外部の音を表す電気信号をＴＡ制御処理部３２へ出力し、また、ＴＡ制御処理部３２から入力された電気信号を音の機械振動信号に変換して出力する。
【００５８】
ＴＡ入力部３５は、ＴＡ制御処理部３２に接続され、例えば、所定の操作を受け付け、携帯端末装置ＴＡに入力する回路であり、例えば、所定の機能を割り付けられた複数の入力スイッチ等である。前記所定の操作には、例えば、ログインするための入力操作や、ログアウトするための入力操作や、音声通話の要求操作およびその終了操作や、ライブでの動画の要求操作およびその終了操作や、前記通知されたイベントに関わる被監視者Ｏｂに対する例えば救命、看護、介護および介助等の対応（対処、処置、措置）を実行する意思が当該携帯端末装置ＴＡを扱う監視者（ユーザ）にある旨（“対応する”）の入力操作や、所定の記録書式を用いた看介護記録の入力操作等の、監視する上で必要な各種操作等が含まれる。ＴＡ表示部３６は、ＴＡ制御処理部３２に接続され、ＴＡ制御処理部３２の制御に従って、ＴＡ入力部３５から入力された所定の操作内容や、被監視者監視システムＭＳによって監視されている被監視者Ｏｂに対する監視に関する前記監視情報（例えば前記所定のイベント（センサ装置ＳＵで検知した所定の行動の種類やセンサ装置ＳＵで受け付けたナースコール）、被監視者Ｏｂの画像（静止画および動画）、および、前記通知を受けた時刻等）や、看介護記録を入力するための記録書式等を表示する回路であり、例えばＬＣＤ（液晶ディスプレイ）および有機ＥＬディスプレイ等の表示装置である。そして、本実施形態では、ＴＡ入力部３５およびＴＡ表示部３６からタッチパネルが構成されている。この場合において、ＴＡ入力部３５は、例えば抵抗膜方式や静電容量方式等の操作位置を検出して入力する位置入力デバイスである。このタッチパネルでは、ＴＡ表示部３６の表示面上に位置入力デバイスが設けられ、ＴＡ表示部３６に入力可能な１または複数の入力内容の候補が表示され、例えば看護師や介護士等のユーザ（監視者）が、入力したい入力内容を表示した表示位置を触れると、位置入力デバイスによってその位置が検出され、検出された位置に表示された表示内容がユーザの操作入力内容として携帯端末装置ＴＡに入力される。
【００５９】
ＴＡＩＦ部３７は、ＴＡ制御処理部３２に接続され、ＴＡ制御処理部３２の制御に従って、外部機器との間でデータの入出力を行う回路であり、例えば、Ｂｌｕｅｔｏｏｔｈ（登録商標）規格を用いたインターフェース回路、ＩｒＤＡ規格等の赤外線通信を行うインターフェース回路、および、ＵＳＢ規格を用いたインターフェース回路等である。
【００６０】
ＴＡ通信ＩＦ部３１は、ＳＶ通信ＩＦ部２１と同様に、ＴＡ制御処理部３２に接続され、ＴＡ制御処理部３２の制御に従って通信を行うための通信回路である。ＴＡ通信ＩＦ部３１は、例えば、ＩＥＥＥ８０２．１１規格等に従った通信インターフェース回路を備えて構成される。
【００６１】
ＴＡ記憶部３３は、ＴＡ制御処理部３２に接続され、ＴＡ制御処理部３２の制御に従って、各種の所定のプログラムおよび各種の所定のデータを記憶する回路である。前記各種の所定のプログラムには、例えば、携帯端末装置ＴＡの各部を当該各部の機能に応じてそれぞれ制御するＴＡ制御プログラムや、被監視者Ｏｂに対する監視に関する所定の情報処理を実行するＴＡ監視処理プログラムや、ＴＡ音入出力部３４等を用いることでセンサ装置ＳＵとの間で音声通話を行う通話処理プログラムや、センサ装置ＳＵから動画の配信を受け、前記配信を受けた動画をストリーミング再生でＴＡ表示部３６に表示するストリーミング処理プログラムや、看介護記録に関する所定の情報処理を実行するＴＡ看介護記録処理プログラム等の制御処理プログラムが含まれる。前記各種の所定のデータでは、自機の端末ＩＤ、被監視者Ｏｂの前記監視情報、センサ装置ＳＵに関するセンサ情報、および、ＴＡ表示部３６に表示される画面情報等の各プログラムを実行する上で必要なデータ等が含まれる。ＴＡ記憶部３３は、例えばＲＯＭやＥＥＰＲＯＭ等を備える。ＴＡ記憶部３３は、前記所定のプログラムの実行中に生じるデータ等を記憶するいわゆるＴＡ制御処理部３２のワーキングメモリとなるＲＡＭ等を含む。
【００６２】
これら監視情報、センサ情報および画面情報それぞれを記憶するために、ＴＡ記憶部３３は、端末側監視情報記憶部（ＴＡ監視情報記憶部）３３１、端末側センサ情報記憶部（ＴＡセンサ情報記憶部）３３２および画面情報記憶部３３３を機能的に備え、さらに、データ仮記憶部３３４を機能的に備える。
【００６３】
ＴＡ監視情報記憶部３３１は、前記監視情報を記憶するものである。本実施形態では、ＴＡ監視情報記憶部３３１は、前記監視情報として、管理サーバ装置ＳＶから受信した第２イベント通知通信信号に収容されたセンサＩＤ、イベント情報（事象情報、本実施形態では入床、起床、離床、転倒およびナースコール）、画像および動画のダウンロード先のセンサ装置ＳＵの通信アドレス、ならびに、当該第２イベント通知通信信号の受信時刻および対処の有無等を互いに対応付けて記憶する。より具体的には、ＴＡ監視情報記憶部３３１は、図３に示すように、ＳＶ監視情報テーブルＭＴ−ＳＶと同様な端末側監視情報テーブル（ＴＡ監視情報テーブル）ＭＴ−ＴＡに前記監視情報を記憶する。
【００６４】
ＴＡセンサ情報記憶部３３２は、前記センサ情報を記憶するものである。ＴＡセンサ情報記憶部３３２は、センサＩＤ、配設場所、被監視者名および備考を互いに対応付けて記憶する。より具体的には、ＴＡセンサ情報記憶部３３２は、図５に示すように、ＳＶセンサ情報テーブルＳＴ−ＳＶと同様な端末側センサ情報テーブル（ＴＡセンサ情報テーブル）ＳＴ−ＴＡに前記センサ情報を記憶する。
【００６５】
画面情報記憶部３３３は、比較的多用する、例えば後述の待受け画面５１等の電子ファイルを予め記憶したり、管理サーバ装置ＳＶから受信した所定の記録書式画面６４等の電子ファイルを記憶したりするものである。
【００６６】
データ仮記憶部３３４は、ＴＡ入力部３５で入力されたデータをその処理に必要な間だけ一時的に記憶するものである。例えば、本実施形態では、記録書式を用いて看介護の内容の入力を看介護記録としてＴＡ入力部３５で受け付けている際（入力使用中の際）に、後述のように、監視情報画面５２やナースコール受付画面５３をＴＡ表示部３６に表示する場合、データ仮記憶部３３４は、ＴＡ制御処理部３２の制御に従って、ＴＡ入力部３５で受け付けた看介護の内容を一時的に記憶する。
【００６７】
ＴＡ制御処理部３２は、携帯端末装置ＴＡの各部を当該各部の機能に応じてそれぞれ制御し、被監視者Ｏｂの前記監視情報を受けて表示し、ナースコールの応答や声かけするための回路である。そして、本実施形態では、ＴＡ制御処理部３２は、所定の記録書式を用いた看介護記録の入力処理を実行する。ＴＡ制御処理部３２は、例えば、ＣＰＵおよびその周辺回路を備えて構成される。ＴＡ制御処理部３２は、制御処理プログラムが実行されることによって、端末側制御部（ＴＡ制御部）３２１、端末側監視処理部（ＴＡ監視処理部）３２２、通話処理部３２３、ストリーミング処理部３２４および端末側看介護記録処理部（ＴＡ看介護記録処理部）３２５を機能的に備える。
【００６８】
ＴＡ制御部３２１は、携帯端末装置ＴＡの各部を当該各部の機能に応じてそれぞれ制御し、携帯端末装置ＴＡの全体制御を司るものである。
【００６９】
ＴＡ監視処理部３２２は、被監視者Ｏｂに対する監視に関する所定の情報処理を実行するものである。より具体的には、ＴＡ監視処理部３２２は、当該被監視者監視システムＭＳにログインする処理を実行し、当該被監視者監視システムＭＳからログアウトする処理を実行する。ＴＡ監視処理部３２２は、センサ装置ＳＵによって送信された第１イベント通知通信信号、に起因して管理サーバ装置ＳＶによって送信された第２イベント通知通信信号を受信した場合に、この受信した第２イベント通知通信信号に収容された各情報（各データ）に基づき、被監視者Ｏｂの監視情報をＴＡ監視情報記憶部３３１に記憶（記録）する。ＴＡ監視処理部３２２は、この受信した第２イベント通知通信信号に収容された各情報に応じた画面をＴＡ表示部３６に表示する。ＴＡ監視処理部３２２は、ＴＡ入力部３５から所定の入力操作を受け付けると、その入力操作に応じた所定の処理を実行する。
【００７０】
通話処理部３２３は、ＴＡ音入出力部３４等を用いることでセンサ装置ＳＵとの間で音声通話を行うものである。より具体的には、例えば、通話処理部３２３は、ＴＡ音入出力部３４等を用い、第２イベント通知通信信号の送信の原因となった第１イベント通知通信信号を管理サーバ装置ＳＶへ送信した送信元のセンサ装置ＳＵとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行う。
【００７１】
ストリーミング処理部３２４は、センサ装置ＳＵから動画（例えばライブの動画）の配信を受け、前記配信を受けた動画をストリーミング再生でＴＡ表示部３６に表示するものである。
【００７２】
ＴＡ看介護記録処理部３２５は、看介護記録に関する所定の情報処理を実行するものである。より具体的には、ＴＡ看介護記録処理部３２５は、後述のように管理サーバ装置ＳＶとの間で各通信信号を送受信することによって、看介護記録の対象者（被監視者Ｏｂ）の選択を要求する対象者選択要求処理、記録書式の種類の選択を要求する種類選択要求処理、選択した種類の記録書式を要求する書式要求処理、および、要求した記録書式を用いて入力した看介護の内容を看介護記録として送信する看介護記録通知処理の各処理を順次に実行する。
【００７３】
このような携帯端末装置ＴＡは、例えば、いわゆるタブレット型コンピュータやスマートフォンや携帯電話機等の、持ち運び可能な通信端末装置によって構成可能である。
【００７４】
（動作）
次に、本実施形態における被監視者監視システムの動作について説明する。上記構成の被監視者監視システムＭＳでは、各装置ＳＵ、ＳＶ、ＳＰ、ＴＡは、電源が投入されると、必要な各部の初期化を実行し、その稼働を始める。管理サーバ装置ＳＶでは、その制御処理プログラムの実行によって、ＳＶ制御処理部２２には、ＳＶ制御部２２１、ＳＶ監視処理部２２２、送信先状況情報記憶処理部２２３およびＳＶ看介護記録処理部２２４が機能的に構成される。携帯端末装置ＴＡでは、その制御処理プログラムの実行によって、ＴＡ制御処理部３２には、ＴＡ制御部３２１、ＴＡ監視処理部３２２、通話処理部３２３、ストリーミング処理部３２４およびＴＡ看介護記録処理部３２５が機能的に構成される。
【００７５】
（センサ装置の動作）
センサ装置ＳＵの動作について説明する。監視動作では、センサ装置ＳＵは、各フレームごとに、あるいは、数フレームおきに、次のように動作することで、被監視者Ｏｂにおける所定の動作を検知し、ナースコールの受付の有無を判定している。まず、センサ装置ＳＵは、前記画像センサから１フレーム分の画像（画像データ）を対象画像として取得し、この取得した対象画像に基づいて被監視者Ｏｂにおける所定の行動を検知し、前記所定の行動を検知すると、その検知結果を所定の端末装置ＳＰ、ＴＡへ通知するために、前記イベント情報として検知した前記所定の行動を収容した、前記所定の行動の検知にかかる第１イベント通知通信信号を、管理サーバ装置ＳＶへ送信する。このように動作している間に、センサ装置ＳＵは、ナースコールを受け付けているか否かを判定し、ナースコールを受け付けると、そのナースコールの受付を所定の端末装置ＳＰ、ＴＡへ通知するために、センサ装置ＳＵは、前記イベント情報として前記受け付けたナースコールを収容した、前記ナースコールの受付にかかる第１イベント通知通信信号を、管理サーバ装置ＳＶへ送信する。
【００７６】
（管理サーバ装置の動作）
次に、管理サーバ装置ＳＶの動作について説明する。図８は、前記被監視者監視システムにおける管理サーバ装置の動作を示すフローチャートである。図９は、図８に示す管理サーバ装置の動作における監視情報の処理を示すフローチャートである。なお、以下の動作の実行前に、例えば、端末装置ＳＰ、ＴＡから入力されることによって、ＳＶセンサ情報記憶部２３３には、前記センサ情報が記憶され、資格情報記憶部２３４には、前記資格情報が記憶され、監視者属性情報記憶部２３５には、前記属性情報が記憶され、書式情報記憶部２３７には、前記書式情報が記憶されているものとする。
【００７７】
図８において、管理サーバ装置ＳＶは、ＳＶ制御処理部２２のＳＶ制御部２２１によって、ＳＶ通信ＩＦ部２１で通信信号を受信したか否かを判定する（Ｓ２１）。この判定の結果、通信信号を受信していない場合（Ｎｏ）には、管理サーバ装置ＳＶは、処理をＳ２１に戻し、前記判定の結果、通信信号を受信している場合（Ｙｅｓ）には、管理サーバ装置ＳＶは、次の処理Ｓ２２を実行する。すなわち、管理サーバ装置ＳＶは、通信信号の受信を待ち受けている。
【００７８】
処理Ｓ２２では、管理サーバ装置ＳＶは、ＳＶ制御部２２１によって、この受信した通信信号の種類を判定する。この判定の結果、管理サーバ装置ＳＶは、前記受信した通信信号が第１イベント通知通信信号である場合（第１イベント通知）には、処理Ｓ２３を実行した後に処理Ｓ２７を実行し、前記受信した通信信号が、ログインを要求する通信信号（ログイン通信信号）である場合（ログイン）には、処理Ｓ２４を実行した後に処理Ｓ２７を実行し、前記受信した通信信号が、ログアウトを要求する通信信号（ログアウト通信信号）である場合（ログアウト）には、処理Ｓ２５を実行した後に処理Ｓ２７を実行し、そして、前記受信した通信信号がこれら第１イベント通知通信信号、ログイン通信信号およびログアウト通信信号ではない場合（その他）には、処理Ｓ２６を実行した後に処理Ｓ２７を実行する。
【００７９】
処理Ｓ２３では、管理サーバ装置ＳＶは、ＳＶ制御処理部２２のＳＶ監視処理部２２２によって、処理Ｓ２１でセンサ装置ＳＵから受信した第１イベント通知通信信号を処理する監視情報の処理を実行する。
【００８０】
より具体的には、図９において、まず、ＳＶ監視処理部２２２は、前記処理Ｓ２１でセンサ装置ＳＵから受信した第１イベント通知通信信号に収容された、被監視者Ｏｂに対する監視に関する監視情報をＳＶ監視情報記憶部２３１に記憶（記録）する（Ｓ２３１）。
【００８１】
次に、ＳＶ監視処理部２２２は、前記処理Ｓ２１でセンサ装置ＳＵから受信した第１イベント通知通信信号に起因して送信する第２イベント通知通信信号の通知先（送信先）の端末装置ＳＰ、ＴＡを決定する（Ｓ２３２）。より具体的には、ＳＶ監視処理部２２２は、送信先状況情報記憶部２３６に記憶された送信先状況情報に基づいて通知先の端末装置ＳＰ、ＴＡを決定する。本実施形態では、ＳＶ監視処理部２２２は、送信先状況情報記憶部２３６に記憶された送信先状況情報に基づいて、当該被監視者監視システムＭＳにログインしているログイン中の端末装置ＳＰ、ＴＡから、外部から所定のデータの入力を受け付けるために使用中である入力使用中の端末装置ＳＰ、ＴＡの除いた、残余の端末装置ＳＰ、ＴＡを前記通知先の端末装置ＳＰ、ＴＡとして決定する。より詳しくは、ＳＶ監視処理部２２２は、送信先状況情報記憶部２３６に記憶された送信先状況情報テーブルＣＴから、ログイン状況フィールド２３６２にログイン状況フラグ「１」を登録すると共に、使用状況フィールド２３６３に使用状況フラグ「０」を登録するレコードを全て選択し、この選択したレコードの端末ＩＤフィールド２３６１に登録されている端末ＩＤを取り出してＳＶ記憶部２３に記憶する。例えば、図６に示す例では、「ＴＡ−１」、「ＴＡ−４」、「ＴＡ−５」、「ＴＡ−１２」および「ＴＡ−１３」が取り出されてＳＶ記憶部２３に記憶される。
【００８２】
次に、ＳＶ監視処理部２２２は、通知先の端末装置ＳＰ、ＴＡが２個以上であるか否かを判定する（Ｓ２３３）。より詳しくは、ＳＶ監視処理部２２２は、送信先状況情報テーブルＣＴから取り出した端末ＩＤが２個以上であるか否かを判定する。この判定の結果、２個以上である場合（Ｙｅｓ）には、ＳＶ監視処理部２２２は、次に、処理Ｓ２３５を実行し、一方、前記判定の結果、２個以上ではない場合（Ｎｏ）、すなわち、１個または０個である場合（Ｎｏ）には、ＳＶ監視処理部２２２は、次に、処理Ｓ２３４を実行した後に、処理Ｓ２３５を実行する。例えば、図６に示す例では、ＳＶ監視処理部２２２は、２個以上である場合（Ｙｅｓ）と判定する。
【００８３】
処理Ｓ２３４では、ＳＶ監視処理部２２２は、外部から所定のデータの入力を受け付けるために使用中である入力使用中の端末装置ＳＰ、ＴＡから通知先（送信先）の端末装置ＳＰ、ＴＡをさらに決定し、これを、処理Ｓ２３２で決定した通知先の端末装置ＳＰ、ＴＡに追加する。本実施形態では、ＳＶ監視処理部２２２は、送信先状況情報記憶部２３６に記憶されている属性情報に基づいて、入力使用中の端末装置ＳＰ、ＴＡの一部をさらに前記通知先の端末装置ＳＰ、ＴＡとして決定する。例えば、勤務中の複数の介護士が複数のグループに業務上分けられ、各グループの責任者として班長が設定される場合、属性が班長である監視者の取り扱う端末装置ＳＰ、ＴＡが、前記通知先の端末装置ＳＰ、ＴＡとして決定される。より詳しくは、この場合、ＳＶ監視処理部２２２は、送信先状況情報記憶部２３６に記憶された送信先状況情報テーブルＣＴから、使用状況フィールド２３６３に使用状況フラグ「１」を登録すると共に、属性フィールド２３６４に「班長」を登録するレコードを選択し、この選択したレコードの端末ＩＤフィールド２３６１に登録されている端末ＩＤを取り出して、前記通知先の端末装置ＳＰ、ＴＡに追加される端末装置ＳＰ、ＴＡの端末ＩＤとしてＳＶ記憶部２３に記憶する。これによって前記残余の端末装置ＳＰ、ＴＡが１個または０個である場合でも、センサ装置ＳＵによって検知したイベントを端末装置ＳＰ、ＴＡへより確実に通知できる。
【００８４】
なお、上述では、ＳＶ監視処理部２２２は、入力使用中の端末装置ＳＰ、ＴＡの一部をさらに前記通知先の端末装置ＳＰ、ＴＡとして決定したが、ＳＶ監視処理部２２２は、入力使用中の端末装置ＳＰ、ＴＡの全部をさらに前記通知先の端末装置ＳＰ、ＴＡとして決定しても良い。これによって、センサ装置ＳＵによって検知したイベントを端末装置ＳＰ、ＴＡへさらにより確実に通知できる。
【００８５】
処理Ｓ２３５では、ＳＶ監視処理部２２２は、前記ログイン中の端末装置ＳＰ、ＴＡから、予め設定された特定の属性を前記属性情報として持つ端末装置ＳＰ、ＴＡが有るか否かを判定する。この判定の結果、前記特定の属性を前記属性情報として持つ端末装置ＳＰ、ＴＡが無い場合（Ｎｏ）には、ＳＶ監視処理部２２２は、次に、処理Ｓ２３７を実行し、一方、前記判定の結果、前記特定の属性を前記属性情報として持つ端末装置ＳＰ、ＴＡが有る場合（Ｙｅｓ）には、ＳＶ監視処理部２２２は、次に、処理Ｓ２３６を実行した後に、処理Ｓ２３７を実行する。前記特定の属性は、例えば、施設の責任者である施設長（介護士長あるいは看護師長）である。この場合、ＳＶ監視処理部２２２は、送信先状況情報記憶部２３６に記憶された送信先状況情報テーブルＣＴに、ログイン状況フィールド２３６２にログイン状況フラグ「１」を登録すると共に、属性フィールド２３６４に「施設長」を登録するレコードが有るか否かを判定する。この判定の結果、前記レコードが有る場合には、ＳＶ監視処理部２２２は、前記特定の属性を前記属性情報として持つ端末装置ＳＰ、ＴＡが有る場合と判定し、前記レコードが無い場合には、ＳＶ監視処理部２２２は、前記特定の属性を前記属性情報として持つ端末装置ＳＰ、ＴＡが無い場合と判定する。
【００８６】
処理Ｓ２３６では、ＳＶ監視処理部２２２は、前記特定の属性を前記属性情報として持つ端末装置ＳＰ、ＴＡを、処理Ｓ２３２で決定した通知先の端末装置ＳＰ、ＴＡに追加する。上述の例では、ＳＶ監視処理部２２２は、ログイン状況フィールド２３６２にログイン状況フラグ「１」を登録すると共に、属性フィールド２３６４に「施設長」を登録するレコード、における端末ＩＤフィールド２３６１に登録されている端末ＩＤを取り出して、前記通知先の端末装置ＳＰ、ＴＡに追加される端末装置ＳＰ、ＴＡの端末ＩＤとしてＳＶ記憶部２３に記憶する。
【００８７】
そして、処理Ｓ２３７では、ＳＶ監視処理部２２２は、このように決定された通知先の端末装置ＳＰ、ＴＡ宛に、第２イベント通知信号を生成し、この生成した第２イベント通知通信信号をＳＶ通信ＩＦ部２１で送信し、本処理を終了する。より具体的には、ＳＶ監視処理部２２２は、処理Ｓ２３２、実行された場合の処理Ｓ２３４、および、実行された場合の処理Ｓ２３６によって前記通知先の端末装置ＳＰ、ＴＡにおける端末ＩＤとしてＳＶ記憶部２３に記憶された端末ＩＤに対応する通信アドレスを、通信アドレス情報記憶部２３２に記憶されている通信アドレス情報から取り出し、この取り出した通信アドレス宛に、第２イベント通知信号を生成し、この生成した第２イベント通知通信信号をＳＶ通信ＩＦ部２１で送信する。
【００８８】
管理サーバ装置ＳＶは、このように監視情報の処理Ｓ２３を実行する。
【００８９】
図８に戻って、処理Ｓ２４では、管理サーバ装置ＳＶは、ＳＶ制御処理部２２のＳＶ監視処理部２２２によって、処理Ｓ２１で端末装置ＳＰ、ＴＡから受信したログイン通信信号を処理するログインの処理を実行する。前記ログイン通信信号は、端末装置ＳＰ、ＴＡが当該被監視者監視システムＭＳへのログインを管理サーバ装置ＳＶに要求するための通信信号である。前記ログイン通信信号には、ログインを要求する旨を表す情報（ログイン要求情報）、当該ログイン通信信号を送信した端末装置ＳＰ、ＴＡの端末ＩＤ、当該ログイン通信信号を送信した端末装置ＳＰ、ＴＡを取り扱う監視者の監視者名およびログインのためのパスワードが収容される。より具体的には、ＳＶ監視処理部２２２は、まず、処理Ｓ２１で端末装置ＳＰ、ＴＡから受信したログイン通信信号に収容された監視者名およびパスワードが、資格情報記憶部２３４に記憶された資格情報に、互いに対応付けられて記憶されているか否かを判定し、この判定の結果、前記監視者名およびパスワードが資格情報記憶部２３４に互いに対応付けられて記憶されていない場合には、ＳＶ監視処理部２２２は、ログインを許可せず、一方、前記監視者名およびパスワードが資格情報記憶部２３４に互いに対応付けられて記憶されている場合には、ＳＶ監視処理部２２２は、ログインを許可する。ログインを許可しない場合では、管理サーバ装置ＳＶは、処理Ｓ２１で端末装置ＳＰ、ＴＡから受信したログイン通信信号の送信元の端末装置ＳＰ、ＴＡからの通信信号を無視し、アクセスを拒否する。ログインを許可する場合では、送信先状況情報記憶処理部２２３は、前記ログイン通信信号の送信元の端末装置ＳＰ、ＴＡに対するログイン端末情報（本実施形態ではログイン状況フラグ「１」）およびその端末装置ＳＰ、ＴＡを取り扱う監視者の属性情報を送信先状況情報記憶部２３６に記憶する。より詳しくは、送信先状況情報記憶処理部２２３は、監視者属性情報記憶部２３５に記憶された監視者属性情報テーブルＰＴから、処理Ｓ２１で端末装置ＳＰ、ＴＡから受信したログイン通信信号に収容された監視者名を、監視者名フィールド２３５１に登録するレコードを選定し、この選定したレコードの属性フィールド２３５２に登録されている属性を取り出してＳＶ記憶部２３に記憶する。次に、送信先状況情報記憶処理部２２３は、送信先状況情報記憶部２３６に記憶されている送信先状況情報テーブルＣＴから、処理Ｓ２１で端末装置ＳＰ、ＴＡから受信したログイン通信信号に収容された端末ＩＤを、端末ＩＤフィールド２３６１に登録するレコードを選定し、この選定したレコードにおけるログイン状況フィールド２３６２、使用状況フィールド２３６３および属性フィールド２３６４それぞれに、ログイン状況フラグ「１」、使用状況フラグ「０」および上述で取り出した属性それぞれを登録する。これによってログインした端末装置ＳＰ、ＴＡにおけるログイン時の状況が送信先状況情報記憶部２３６に記憶される。本実施形態では、上述のように、前記ログイン通信信号は、前記イベントの通知を待ち受ける待受け中である旨を通知するための通信信号である待受け中通知通信信号と兼用されている。なお、ログインが許可された場合に、ログイン通信信号とは別途に、端末装置ＳＰ、ＴＡは、待受け中通知通信信号を送信しても良い。管理サーバ装置ＳＶは、このようにログインの処理Ｓ２４を実行する。
【００９０】
処理Ｓ２５では、管理サーバ装置ＳＶは、ＳＶ制御処理部２２のＳＶ監視処理部２２２によって、処理Ｓ２１で端末装置ＳＰ、ＴＡから受信したログアウト通信信号を処理するログアウトの処理を実行する。前記ログアウト通信信号は、端末装置ＳＰ、ＴＡが当該被監視者監視システムＭＳからのログアウトを管理サーバ装置ＳＶに要求するための通信信号である。前記ログアウト通信信号には、ログアウトを要求する旨を表す情報（ログアウト要求情報）、および、当該ログアウト通信信号を送信した端末装置ＳＰ、ＴＡの端末ＩＤが収容される。より詳しくは、送信先状況情報記憶処理部２２３は、送信先状況情報記憶部２３６に記憶されている送信先状況情報テーブルＣＴから、処理Ｓ２１で端末装置ＳＰ、ＴＡから受信したログアウト通信信号に収容された端末ＩＤを、端末ＩＤフィールド２３６１に登録するレコードを選定し、この選定したレコードにおけるログイン状況フィールド２３６２、使用状況フィールド２３６３および属性フィールド２３６４それぞれに、ログイン状況フラグ「０」、前記不明である旨を表す前記所定の符号（例えば「＊」等）および前記所定の符号（例えば「＊」等）それぞれを登録する。これによってログアウトした端末装置ＳＰ、ＴＡの状況が送信先状況情報記憶部２３６に記憶される。管理サーバ装置ＳＶは、このようにログアウトの処理Ｓ２５を実行する。
【００９１】
処理Ｓ２６では、管理サーバ装置ＳＶは、ＳＶ制御処理部２２によって、前記処理Ｓ２１で受信した通信信号に応じた適宜な処理を実行する。例えば、図１５を用いて後述する対象者選択要求通信信号等が処理される。
【００９２】
そして、これら処理Ｓ２３ないし処理Ｓ２６それぞれの後に実行される前記処理Ｓ２７では、管理サーバ装置ＳＶは、ＳＶ制御処理部２２によって、その稼働が終了（停止）か否かを判定する。この判定の結果、稼働の終了（停止）である場合（Ｙｅｓ）には、管理サーバ装置ＳＶは、本処理を終了し、一方、稼働の終了（停止）ではない場合（Ｎｏ）には、管理サーバ装置ＳＶは、処理を処理Ｓ２１に戻す。
【００９３】
各装置ＳＵ、ＳＰ、ＴＡから受信した通信信号に関し、管理サーバ装置ＳＶは、以上のように動作している。
【００９４】
（端末装置（携帯端末装置）の動作）
次に、端末装置ＳＰ、ＴＡの動作について、携帯端末装置ＴＡの動作で説明する。以下では、第１に、図１０ないし図１４を用いて、被監視者を監視する監視動作について説明し、第２に、図１５ないし図２０を用いて、看介護記録の処理について説明する。
【００９５】
（監視動作）
図１０は、前記被監視者監視システムにおける携帯端末装置の動作を示すフローチャートである。図１１は、前記携帯端末装置に表示されるログイン画面の一例を示す図である。図１２は、前記携帯端末装置に表示される待受け画面の一例を示す図である。図１３は、前記携帯端末装置に表示される監視情報画面の一例を示す図である。図１４は、前記携帯端末装置に表示されるナースコール受付画面の一例を示す図である。
【００９６】
上述したように、携帯端末装置ＴＡの電源が投入され、その稼働を始めると、例えば看護師や介護士等の監視者（ユーザ）は、ＴＡ入力部３５から、後述の「ログイン」ボタン６２２−４（図１７参照）の入力操作を行う。携帯端末装置ＴＡは、ＴＡ入力部３５から「ログイン」ボタン６２２−４の入力操作を受け付けると、ＴＡ制御処理部３２のＴＡ監視処理部３２２によってログイン画面をＴＡ表示部３６に表示する。
【００９７】
前記ログイン画面５０は、当該被監視者監視システムＭＳにログインするための画面である。前記ログイン画面５０は、例えば、図１１に示すように、ログインしようとしている監視者の監視者名を入力するための監視者名入力領域５０１と、ログインに必要なパスワードを入力するためのパスワード入力領域（ＰＷ入力領域）５０２と、数値を、当該携帯端末装置ＴＡに入力するためのテンキーパッド領域５０３とを備える。監視者名入力領域５０１で所定の入力操作（例えば「タップ」等）が受け付けられると、ＴＡ監視処理部３２２によって、選択可能な監視者名の一覧がプルダウンメニューでＴＡ表示部３６に表示される。この表示された１または複数の監視者名の中から、１つの監視者名を表示する領域で、所定の入力操作（例えば「タップ」等）が受け付けられると、ＴＡ監視処理部３２２によって、この所定の入力操作を受け付けた領域に表示されている監視者名が監視者名入力領域５０１に表示され、携帯端末装置ＴＡに入力される。ＰＷ入力領域５０２で所定の入力操作（例えば「タップ」等）が受け付けられ、テンキーパッド領域５０３の１または複数の数値ボタンの入力操作が受け付けられると、ＴＡ監視処理部３２２によって、この入力操作を受け付けた数値ボタンの数値がＰＷ入力領域に表示され、携帯端末装置ＴＡに入力される。テンキーパッド領域５０３には、入力した数値を削除する削除ボタン５０３１と、当該ログイン画面５０で入力された入力内容を決定（確定）し、これを管理サーバ装置ＳＶへ送信する指示を入力するための決定ボタン５０３２とを備える。監視者は、監視者名入力領域５０１に監視者名を入力し、ＰＷ入力領域５０２にパスワードを入力すると、決定ボタン５０３２を入力操作する。この決定ボタン５０３２の入力操作を受け付けると、ＴＡ監視処理部３２２は、管理サーバ装置ＳＶ宛にログイン通信信号を生成し、この生成したログイン通信信号をＴＡ通信ＩＦ部３１で管理サーバ装置ＳＶへ送信する。より具体的には、ＴＡ監視処理部３２２は、前記ログイン要求情報、自機の端末ＩＤ、監視者名入力領域５０１に入力された監視者名、および、ＰＷ入力領域５０２に入力されたパスワードを収容するログイン通信信号を管理サーバ装置ＳＶ宛に生成し、この生成したログイン通信信号をＴＡ通信ＩＦ部３１で管理サーバ装置ＳＶへ送信する。このログイン通信信号を受信した管理サーバ装置ＳＶは、上述したように、処理Ｓ２１、処理Ｓ２２、処理Ｓ２４および処理Ｓ２７の各処理を実行する。これによって携帯端末装置ＴＡは、当該被監視者監視システムＭＳにログインする。
【００９８】
ログインすると、ＴＡ監視処理部３２２によって、例えば第２イベント通知通信信号等の自機宛の通信信号を待ち受ける待受け画面がＴＡ表示部３６に表示される。この待受け画面５１は、例えば、図１２に示すように、メニューバーを表示するメニューバー領域５１１と、待ち受け中であることを表すメッセージ（例えば「通知はありません」）およびアイコンを表示する待受けメイン領域５１２と、現在時刻を表示する時刻領域５１３と、今日の年月日曜日を表示する年月日曜日領域５１４と、今、当該携帯端末装置ＴＡにログインしている監視者名を表示する監視者名領域５１５とを備える。
【００９９】
そして、図１０において、携帯端末装置ＴＡは、ＴＡ制御処理部３２のＴＡ制御部３２１によって、ＴＡ通信ＩＦ部３１で通信信号を受信したか否かを判定する（Ｓ４１）。この判定の結果、通信信号を受信していない場合（Ｎｏ）には、携帯端末装置ＴＡは、処理をＳ４１に戻し、前記判定の結果、通信信号を受信している場合（Ｙｅｓ）には、携帯端末装置ＴＡは、次の処理Ｓ４２を実行する。すなわち、携帯端末装置ＴＡは、通信信号の受信を待ち受けている。
【０１００】
処理Ｓ４２では、携帯端末装置ＴＡは、ＴＡ制御部３２１によって、この受信した通信信号の種類を判定する。この判定の結果、携帯端末装置ＴＡは、前記処理Ｓ４１で受信した通信信号が第２イベント通知通信信号である場合（第２イベント通知）には、次の処理Ｓ４３を実行し、前記処理Ｓ４１で受信した通信信号が第２イベント通知通信信号ではない場合（その他）には、処理Ｓ４１で受信した通信信号に応じた適宜な処理を行う処理Ｓ４７を実行した後に本処理を終了する。例えば、図１５を用いて後述する選択可能対象者通知通信信号等が処理される。
【０１０１】
処理Ｓ４３では、携帯端末装置ＴＡは、ＴＡ制御処理部３２のＴＡ監視処理部３２２によって、処理Ｓ４１で管理サーバ装置ＳＶから受信した第２イベント通知通信信号に収容された、被監視者Ｏｂに対する監視に関する監視情報をＴＡ監視情報記憶部３３１に記憶（記録）する。
【０１０２】
次に、ＴＡ監視処理部３２２は、処理Ｓ４１で受信した第２イベント通知通信信号に収容された各情報に応じた画面をＴＡ表示部３６に表示し（Ｓ４４）、次の処理Ｓ４５を実行する。より具体的には、ＴＡ監視処理部３２２は、処理Ｓ４１で受信した第２イベント通知通信信号に収容された前記イベント情報が前記所定の行動である場合には、例えば図１３に示す監視情報画面５２をＴＡ表示部３６に表示し、一方、処理Ｓ４１で受信した第２イベント通知通信信号に収容された前記イベント情報が前記ナースコールである場合には、例えば図１４に示すナースコール受付画面５３をＴＡ表示部３６に表示する。
【０１０３】
この監視情報画面５２は、被監視者Ｏｂの監視に関する前記監視情報を表示するための画面である。前記監視情報画面５２は、例えば、図１３に示すように、メニューバー領域５１１と、前記受信した第２イベント通知通信信号に収容されたセンサＩＤを持つセンサ装置ＳＵの配設場所および前記センサＩＤを持つ前記センサ装置ＳＵによって監視される被監視者Ｏｂの名前を表示する被監視者名領域５２１と、前記受信した第２イベント通知通信信号の受信時刻（または前記所定の行動の検知時刻）からの経過時間、および、前記受信した第２イベント通知通信信号に収容された前記イベント情報（前記所定の行動の検知結果）を表示する検知情報表示領域５２２と、前記受信した第２イベント通知通信信号に収容された画像（すなわち、前記センサＩＤを持つ前記センサ装置ＳＵによって撮像された対象画像）（ここでは静止画）を表示する画像領域５２３と、「対応する」ボタン５２４と、「話す」ボタン５２５と、「ＬＩＶＥを見る」ボタン５２６とを備える。
【０１０４】
被監視者名領域５２１にセンサ装置ＳＵの配設場所および被監視者Ｏｂの名前を表示するために、前記受信した第２イベント通知通信信号に収容されたセンサＩＤを検索キーに、センサ装置ＳＵの配設場所および被監視者Ｏｂの名前がＴＡセンサ情報記憶部３３２から検索され、表示される。検知情報表示領域５２２には、前記受信した第２イベント通知通信信号に収容された前記検知結果（本実施形態では、入床、起床、離床および転倒の各名称）がそのまま表示されても良いが、本実施形態では、前記検知結果を象徴的に表すアイコンで表示されている。このアイコンで表示するために、ＴＡ記憶部３３には、各行動およびその行動を象徴的に表すアイコンが互いに対応付けられて予め記憶される。図１３に示す例では、検知情報表示領域５２２には、起床を象徴的に表す起床アイコンが表示されている。「対応する」ボタン５２４は、監視情報画面５２では、この監視情報画面５２に表示された検知結果に対し例えば救命、看護、介護および介助等の所定の対応（応対、対処）を実施する意思が当該携帯端末装置ＴＡのユーザにある旨を表す実施意思情報を、当該携帯端末装置ＴＡに入力するためのボタンである。「話す」ボタン５２５は、音声通話を要求するためのボタンであって、前記センサＩＤの前記センサ装置ＳＵと当該携帯端末装置ＴＡとをネットワークＮＷを介して通話可能に接続する指示を入力するためのボタンである。「ＬＩＶＥを見る」ボタン５２６は、ライブでの動画を要求するためのボタンであって、前記センサＩＤの前記センサ装置ＳＵによって撮像される動画を表示させる指示を入力するためのボタンである。
【０１０５】
前記ナースコール受付画面５３は、ナースコールの受付を表示するための画面である。このナースコール受付画面５３は、例えば、図１４に示すように、メニューバー領域５１１と、被監視者名領域５２１と、検知情報表示領域５２２と、ナースコールを受け付けた旨を表すメッセージ（例えば「ナースコールです」）を表示するナースコール受付通知表示領域５３１と、「対応する」ボタン５２４と、「話す」ボタン５２５とを備える。このナースコール受付画面５３では、検知情報表示領域５２２には、前記受信した第２イベント通知通信信号の受信時刻（または前記ナースコールを受け付けた受付時刻）からの経過時間のみが表示される。なお、ナースコール受付画面５３は、「ＬＩＶＥを見る」ボタン５２６をさらに備えても良い。
【０１０６】
図１０に戻って、処理Ｓ４５では、携帯端末装置ＴＡは、ＴＡ制御処理部３２によって、ＴＡ入力部３５およびＴＡ表示部３６を備えて成るタッチパネルで入力操作を受け付けたか否かを判定する。この判定の結果、入力操作を受け付けていない場合（Ｎｏ）には、携帯端末装置ＴＡは、処理を処理Ｓ４５に戻し、一方、前記判定の結果、入力操作を受け付けている場合には、携帯端末装置ＴＡは、次の処理Ｓ４６を実行する。
【０１０７】
この処理Ｓ４６では、携帯端末装置ＴＡは、ＴＡ制御処理部３２によって、入力操作の内容に応じた適宜な処理を実行し、本処理を終了する。
【０１０８】
例えば、携帯端末装置ＴＡは、ＴＡ制御処理部３２によって、前記タッチパネルを構成するＴＡ入力部３５から「対応する」ボタン５２４の入力操作を受け付けると（すなわち、前記対応意思を受け付けると）、まず、現在、ＴＡ表示部３６に表示している被監視者Ｏｂの監視情報に、「対応する」を受け付けた旨を付してＴＡ監視情報記憶部３３１に記憶する。そして、ＴＡ制御処理部３２は、ＴＡ表示部３６に表示している被監視者Ｏｂの監視情報に対応するセンサＩＤおよび「対応する」を受け付けた旨を表す情報（対応受付情報）を収容した通信信号（対応受付通知通信信号）を管理サーバ装置ＳＶへ送信する。
【０１０９】
この対応受付通知通信信号を受信した管理サーバ装置ＳＶは、上述の処理Ｓ２６の他の一例として、ＳＶ制御処理部２２によって、ＳＶ監視情報記憶部２３１に記憶されているＳＶ監視情報テーブルＭＴ−ＳＶにおいて、この受信した対応受付通知通信信号に収容されたセンサＩＤを、センサＩＤフィールド２３１１に登録しているレコードであって、対応フィールド２３１６に、対応の未受付を表す対応フラグ「０」を登録する前記レコードの対応フィールド２３１６に、対応の受付を表す対応フラグ「１」を登録し、前記受信した対応受付通知通信信号に収容されたセンサＩＤおよび対応受付情報を収容した通信信号（対応受付周知通信信号）を同報通信で端末装置ＳＰ、ＴＡへ送信する。これによって、ＴＡ表示部３６に表示している被監視者Ｏｂの監視情報に対応するセンサＩＤに関し、「対応する」を受け付けた旨が各端末装置ＳＰ、ＴＡ間で同期される。
【０１１０】
また例えば、携帯端末装置ＴＡは、ＴＡ制御処理部３２によって、「話す」ボタン５２５の入力操作を受け付けると、通話処理部３２３によって、ＴＡ表示部３６に表示している被監視者Ｏｂを監視するセンサ装置ＳＵへ、音声通話を要求する旨等の情報を収容した通信信号（通話要求通信信号）を送信し、これに応じたセンサ装置ＳＵとネットワークＮＷを介して音声通話可能に接続する。これによって携帯端末装置ＴＡとセンサ装置ＳＵとの間で音声通話が可能となる。なお、携帯端末装置ＴＡは、ＴＡ制御処理部３２によって、音声通話の終了の指示を入力するためのボタンである図略の「終了」ボタンの入力操作を受け付けると、通話処理部３２３によって、ＴＡ表示部３６に表示している被監視者Ｏｂを監視するセンサ装置ＳＵへ、音声通話の終了を要求する旨等の情報を収容した通信信号（通話終了通信信号）を送信する。これによって携帯端末装置ＴＡとセンサ装置ＳＵとの間での音声通話が終了される。
【０１１１】
また例えば、携帯端末装置ＴＡは、ＴＡ制御処理部３２によって、「ＬＩＶＥを見る」ボタン５２６の入力操作を受け付けると、ＴＡストリーミング処理部３２４によって、現在、ＴＡ表示部３６に表示している被監視者Ｏｂを監視するセンサ装置ＳＵへ、ライブでの動画の配信を要求する旨等の情報を収容した通信信号（動画配信要求通信信号）を送信し、これに応じたセンサ装置ＳＵとネットワークＮＷを介して動画のダウンロード可能に接続し、前記センサ装置ＳＵからライブでの動画の配信を受け、この配信を受けた動画をストリーミング再生でＴＡ表示部３６に表示する。このライブでの動画を表示する監視情報画面５２では、画像領域５２３に動画が表示され、そして、「ＬＩＶＥを見る」ボタン５２６に代え図略の「ＬＩＶＥ終了」ボタンが表示される。これによって携帯端末装置ＴＡには、ライブでの動画が表示される。前記図略の「ＬＩＶＥ終了」ボタンは、動画の終了を要求するためのボタンであって、前記センサＩＤの前記センサ装置ＳＵによって撮像される動画の配信を終了（停止）させ表示を終了（停止）させる指示を入力するためのボタンである。携帯端末装置ＴＡは、ＴＡ制御処理部３２によって、「ＬＩＶＥ終了」ボタンの入力操作を受け付けると、ＴＡストリーミング処理部３２４によって、現在、ＴＡ表示部３６に表示している被監視者Ｏｂを監視するセンサ装置ＳＵへ、動画配信の終了を要求する旨等の情報を収容した通信信号（動画配信終了通信信号）を送信し、静止画をＴＡ表示部３６に表示する。これによって携帯端末装置ＴＡは、ライブでの動画の表示を終了する。
【０１１２】
監視動作に関し、携帯端末装置ＴＡは、以上のように動作している。
【０１１３】
（看介護記録の処理）
図１５は、前記被監視者監視システムにおける看介護記録の動作を示すシーケンス図である。図１６は、前記携帯端末装置に表示される対象者選択画面の一例を示す図である。図１７は、前記携帯端末装置に表示されるサブメニュー画面の一例を示す図である。図１８は、前記携帯端末装置に表示される書式選択画面の一例を示す図である。図１９は、前記携帯端末装置に表示される食事ケア用記録書式画面の一例を示す図である。図２０は、前記携帯端末装置に表示される排泄ケア用記録書式画面の一例を示す図である。
【０１１４】
看介護記録では、図１５において、携帯端末装置ＴＡは、前記タッチパネルを構成するＴＡ入力部３５から、待受け画面５１、監視情報画面５２およびナースコール受付画面５３等におけるメニューバー領域５１１の対象者選択ボタン５１１１の入力操作を受け付けると、ＴＡ看介護記録処理部３２５によって、対象者の選択を要求するための通信信号（対象者選択要求通信信号）を管理サーバ装置ＳＶへ送信する（Ｃ１１）。前記対象者選択要求通信信号には、対象者の選択を要求する命令（指示、コマンド、対象者選択要求命令）および自機の端末ＩＤが収容される。前記対象者選択ボタン５１１１は、対象者選択画面６１を表示する指示を、当該携帯端末装置ＴＡに入力するためのボタンである。
【０１１５】
携帯端末装置ＴＡから対象者選択要求通信信号を受信すると、管理サーバ装置ＳＶは、ＳＶ制御処理部２２によって、看介護記録の対象者として選択可能な被監視者Ｏｂを表示し、看介護記録の対象者（被監視者Ｏｂ）を選択するための画面（対象者選択画面）のデータ（電子ファイル）を収容した通信信号（選択可能対象者通知通信信号）を前記携帯端末装置ＴＡへ返信する（Ｃ１２）。
【０１１６】
前記対象者選択画面６１は、例えば、図１６に示すように、メニューバー領域５１１と、選択可能な１または複数の対象者を一覧で表示する対象者表示領域６１１（６１１−１〜６１１−５）と、「確定」ボタン６１２とを備える。対象者表示領域６１１に、選択可能な対象者を一覧で表示するために、ＳＶ制御処理部２２は、ＳＶセンサ情報記憶部２３３に記憶されたＳＶセンサ情報テーブルＳＴ−ＳＶにおける被監視者名フィールド３３３３および配設場所フィールド３３３２それぞれに登録されている被監視者名および配設場所それぞれを各レコードから取り出す。ＳＶ制御処理部２２は、この取り出した配設場所および被監視者名をセット（組）で、対象者表示領域６１１に、当該対象者選択画面６１を表示する携帯端末装置ＴＡのＴＡ表示部３６を正面視した場合に上から下へ順に所定の基準でソートされて一覧で表示されるように、配置する。ソートの基準は、任意であり、例えば、被監視者名の５０音順（アルファベット順）や、配設場所の部屋番号順等である。図１６に示す例では、配設場所および被監視者名の各セットは、配設場所の部屋番号順でソートされている。そして、この対象者選択画面６１が携帯端末装置ＴＡのＴＡ表示部３６に表示された場合に、対象者表示領域６１１（６１１−１〜６１１−５）は、１人の対象者（被監視者Ｏｂ）を入力するために用いられ、監視者（携帯端末装置ＴＡのユーザ）によって選択された対象者を、当該携帯端末装置ＴＡに入力するためのボタン（対象者選択ボタン）でもある。「確定」ボタン６１２は、対象者表示領域６１１から入力された対象者を管理サーバ装置ＳＶへ通知するための通信信号（選択対象者通知通信信号）を管理サーバ装置ＳＶへ送信する指示を、当該携帯端末装置ＴＡに入力するためのボタンである。
【０１１７】
管理サーバ装置ＳＶから選択可能対象者通知通信信号を受信すると、携帯端末装置ＴＡは、ＴＡ制御処理部３２によって、対象者選択画面６１をＴＡ表示部３６に表示する。なお、ＴＡ表示部３６の表示領域より、対象者表示領域６１１が広く、全ての対象者表示領域６１１がＴＡ表示部３６の表示領域に表示できない場合には、例えば「フリック（ｆｌｉｃｋ  ｉｎｐｕｔ）」によってＴＡ表示部３６の表示領域に表示される対象者表示領域６１１の領域部分が変更（例えばスクロール等）され、ＴＡ表示部３６の表示領域に表示されていない対象者表示領域６１１の他の領域部分が表示できるようになっている。
【０１１８】
このような対象者選択画面６１がＴＡ表示部３６に表示されている場合に、携帯端末装置ＴＡのユーザ（監視者）は、１人の対象者を選択するために、いずれか１つの対象者表示領域６１１を入力操作し、「確定」ボタン６１２を入力操作する。例えば、監視者は、「１０１号室Ｋ田Ｍ雄様」を表示する対象者表示領域（対象者選択ボタン）６１１−１を入力操作し、「確定」ボタン６１２を入力操作する。
【０１１９】
前記タッチパネルを構成するＴＡ入力部３５から、対象者表示領域６１１の入力操作を受け付けた後に、「確定」ボタン６１２の入力操作を受け付けると、携帯端末装置ＴＡは、ＴＡ制御処理部３２によって、対象者表示領域６１１から入力された１人の対象者（被監視者Ｏｂ）を管理サーバ装置ＳＶへ通知するための通信信号（選択対象者通知通信信号）を管理サーバ装置ＳＶへ送信する（Ｃ１３）。この選択対象者通知通信信号には、対象者表示領域６１１−１〜６１１−５の入力操作によって入力された１人の対象者の被監視者名および自機の端末ＩＤが収容される。例えば、携帯端末装置ＴＡの端末ＩＤがＴＡ−１である場合において、上述の例では、選択対象者通知通信信号には、「Ｋ田Ｍ雄」および「ＴＡ−１」が収容される。
【０１２０】
携帯端末装置ＴＡから選択対象者通知通信信号を受信すると、管理サーバ装置ＳＶは、ＳＶ制御処理部２２によって、前記選択対象者通知通信信号に収容された被監視者名を、前記選択対象者通知通信信号の送信元である携帯端末装置ＴＡの端末ＩＤと対応付けてＳＶ記憶部２３に記憶する。例えば、上述の例では、「ＴＡ−１」と「Ｋ田Ｍ雄」とが互いに対応付けられてＳＶ記憶部２３に記憶される。そして、管理サーバ装置ＳＶは、ＳＶ制御処理部２２によって、選択可能なサブメニューを表示し、サブメニューを選択するための画面（サブメニュー画面）のデータ（電子ファイル）を収容した通信信号（サブメニュー通知通信信号）を前記携帯端末装置ＴＡへ返信する（Ｃ１４）。
【０１２１】
前記サブメニュー画面６２は、例えば図１７に示すように、メニューバー領域５１１と、対象者選択画面６１で選択された対象者名を表示する対象者名表示領域６２１と、選択可能な１または複数のサブメニューをその名称で一覧で表示するサブメニュー表示領域６２２（６２２−１〜６２２−５）とを備える。図１７に示す例では、図１６に示す対象者選択画面６１で「１０１号室Ｋ田Ｍ雄」を表示する領域（対象者表示領域、対象者選択ボタン）６１１−１が携帯端末装置ＴＡで監視者によって入力操作され、対象者名表示領域６２１には、「１０１号室Ｋ田Ｍ雄様」が表示されている。サブメニュー表示領域６２２は、図１７に示す例では、サブメニューとして、「ケア実施入力」ボタン６２２−１と、「話す」ボタン６２２−２と、「一時オフする」ボタン６２２−３と、「ログイン」ボタン６２２−４と、「ログアウト」ボタン６２２−５とを備える。「ケア実施入力」ボタン６１３は、端末装置ＳＰ、ＴＡから監視者によって１人の対象者（被監視者Ｏｂ）に対する看介護記録を管理サーバ装置ＳＶに記録する指示を、当該携帯端末装置ＴＡに入力するためのボタンである。「話す」ボタン６２２−２は、上述の「話す」ボタン５２５と同様に、音声通話を要求するためのボタンであって、対象者名表示領域６２１に表示されている被監視者Ｏｂを監視するセンサ装置ＳＵと当該携帯端末装置ＴＡとをネットワークＮＷを介して通話可能に接続する指示を入力するためのボタンである。「一時オフする」ボタン６２２−３は、対象者名表示領域６２１に表示されている被監視者Ｏｂに対するセンサ装置ＳＵによる監視を一時的に止める指示を入力するためのボタンである。「ログイン」ボタン６２２−４は、当該携帯端末装置ＴＡを取り扱う監視者（ユーザ）が当該携帯端末装置ＴＡで当該被監視者監視システムＭＳへログインするために、前記ログイン通信信号を管理サーバ装置ＳＶへ送信する指示を、当該携帯端末装置ＴＡに入力するためのボタンである。「ログアウト」ボタン６２２−５は、当該携帯端末装置ＴＡを取り扱う監視者（ユーザ）が当該携帯端末装置ＴＡで当該被監視者監視システムＭＳからログアウトするために、前記ログアウト通信信号を管理サーバ装置ＳＶへ送信する指示を、当該携帯端末装置ＴＡに入力するためのボタンである。
【０１２２】
なお、前記対象者名表示領域６２１は、サブメニュー画面６２が携帯端末装置ＴＡのＴＡ表示部３６に表示された場合に、対象者選択画面６１を表示する指示を、当該携帯端末装置ＴＡに入力するためのボタンでもあっても良い。したがって、この場合では、監視者は、対象者名表示領域６２１を入力操作することで、対象者選択画面６１から対象者を変更できる。なお、このサブメニュー画面６２は、待受け画面５１、監視情報画面５２およびナースコール受付画面５３等におけるメニューバー領域５１１のサブメニューボタン５１１２の入力操作によっても表示される。メニューバー領域５１１は、携帯端末装置ＴＡの起動後（稼働後、電源投入後）のいずれの画面にも表示される。
【０１２３】
管理サーバ装置ＳＶからサブメニュー通知通信信号を受信すると、携帯端末装置ＴＡは、ＴＡ制御処理部３２によって、サブメニュー画面６２をＴＡ表示部３６に表示する。
【０１２４】
このようなサブメニュー画面６２がＴＡ表示部３６に表示されている場合に、携帯端末装置ＴＡのユーザ（監視者）は、対象者に対する看介護記録を実施するために、「ケア実施入力」ボタン６２２−１を入力操作する。
【０１２５】
「ケア実施入力」ボタン６２２−１の入力操作を受け付けると、携帯端末装置ＴＡは、ＴＡ看介護記録処理部３２５によって、看介護の種類（看介護記録の種類、記録書式の種類）の選択を要求するための通信信号（種類選択要求通信信号）を管理サーバ装置ＳＶへ送信する（Ｃ１５）。前記種類選択要求通信信号には、看介護の種類（看介護記録の種類、記録書式の種類）の選択を要求する命令（指示、コマンド、種類選択要求命令）および自機の端末ＩＤが収容される。
【０１２６】
携帯端末装置ＴＡから種類選択要求通信信号を受信すると、管理サーバ装置ＳＶは、ＳＶ看介護記録処理部２２３によって、看介護の種類に応じて予め用意され選択可能な記録書式の種類を表示し、記録書式の種類を選択するための画面（書式選択画面）のデータ（電子ファイル）を作成し、この作成した書式選択画面の電子ファイルを収容した通信信号（選択可能種類通知通信信号）を前記携帯端末装置ＴＡへ返信する（Ｃ１６）。
【０１２７】
前記書式選択画面６３は、例えば、図１８に示すように、メニューバー領域５１１と、対象者名表示領域６２１と、選択可能な１または複数の記録書式をその名称で一覧で表示する書式表示領域６３１（６３１−１〜６３１−４）とを備える。そして、この記録書式名を表示する個々の領域６３１−１〜６３１−４は、監視者によって選択された記録書式を、当該携帯端末装置ＴＡに入力するためのボタン（書式選択ボタン）でもある。図１８に示す例では、書式表示領域６３１は、食事ケア用の記録書式名として「食事ケア」を表示する「食事ケア」領域６３１−１と、水分補給ケア用の記録書式名として「水分ケア」を表示する「水分ケア」領域６３１−２と、排泄ケア用の記録書式名として「排泄ケア」を表示する「排泄ケア」領域６３１−３と、バイタルチェック用の記録書式名として「バイタル」を表示する「バイタル」領域６３１−４とを備える。そして、前記「食事ケア」領域６３１−１は、食事ケア用の記録書式の選択を、当該携帯端末装置ＴＡに入力するためのボタンであり、前記「水分ケア」領域６３１−２は、水分補給ケア用の記録書式の選択を、当該携帯端末装置ＴＡに入力するためのボタンであり、前記「排泄ケア」領域６３１−３は、排泄ケア用の記録書式の選択を、当該携帯端末装置ＴＡに入力するためのボタンであり、前記「バイタル」領域６３１−４は、バイタルチェック用の記録書式の選択を、当該携帯端末装置ＴＡに入力するためのボタンである。さらに、図１８に示す例では、前記記録書式名を表示する個々の領域６３１−１〜６３１−４には、看介護記録の内容も表示されている。例えば、本日および前回における看介護記録の各内容が表示される。この看介護記録の各内容を前記領域６３２に表示するために、ＴＡ看介護記録処理部３２５は、自機の端末ＩＤ、処理Ｃ１３で選択され入力された対象者名（被監視者名）、ならびに、本日および前回における看介護記録の各内容を要求する命令を収容する通信信号（看介護記録要求通信信号）を管理サーバ装置ＳＶへ送信する。この看介護記録要求通信信号を受信すると、管理サーバ装置ＳＶは、この受信した看介護記録要求通信信号に収容された対象者名（被監視者名）に対応する本日および前回における看介護記録の各内容を看介護記録情報記憶部２３８から取り出し、この取り出した本日および前回における看介護記録の各内容、ならびに、前記受信した看介護記録要求通信信号に収容された端末ＩＤおよび対象者名（被監視者名）を収容する通信信号（看介護記録返信通信信号）を、前記受信した看介護記録要求通信信号の送信元の携帯端末装置ＴＡへ返信する。ＴＡ看介護記録処理部３２５は、管理サーバ装置ＳＶからこの看介護記録返信通信信号を受信してその収容されたデータを取り出すことで、前記看介護記録の各内容を前記領域６３１に表示する。
【０１２８】
図１５に戻って、管理サーバ装置ＳＶから選択可能種類通知通信信号を受信すると、携帯端末装置ＴＡは、ＴＡ看介護記録処理部３２５によって、書式選択画面６３をＴＡ表示部３６に表示する。なお、ＴＡ表示部３６の表示領域より、書式表示領域６３１が広く、全ての書式表示領域６３１がＴＡ表示部３６の表示領域に表示できない場合には、例えば「フリック（ｆｌｉｃｋ  ｉｎｐｕｔ）」によってＴＡ表示部３６の表示領域に表示される書式表示領域６３１の領域部分が変更（例えばスクロール等）され、ＴＡ表示部３６の表示領域に表示されていない書式表示領域６３１の他の領域部分が表示できるようになっている。
【０１２９】
前記タッチパネルを構成するＴＡ入力部３５から、記録書式名を表示する領域（種類選択ボタン）６３１（６３１−１〜６３１−４）の入力操作を受け付けて記録書式名の選択を受け付けると、携帯端末装置ＴＡは、ＴＡ看介護記録処理部３２５によって、１人の被監視者に対して入力する看介護記録における記録書類名を通知するための通信信号（選択種類通知通信信号）を管理サーバ装置ＳＶへ送信する（Ｃ１７）。前記選択種類通知通信信号には、前記選択された記録書式名および自機の端末ＩＤが収容される。
【０１３０】
携帯端末装置ＴＡから選択種類通知通信信号を受信すると、管理サーバ装置ＳＶは、ＳＶ看介護記録処理部２２３によって、この受信した選択種類通知通信信号に収容された記録書式名に対応する記録書式の電子ファイルを書式情報記憶部２３７から取り出し、この取り出した記録書式の電子ファイルを収容した、記録書式を通知するための通信信号（書式通知信通信信号）を、前記携帯端末装置ＴＡへ返信する（Ｃ１８）。この書式通知通信信号を受信した携帯端末装置ＴＡは、記録書式を用いた看介護の内容の入力を受け付けるための使用中となるので、前記入力使用中の端末装置ＳＰ、ＴＡとなる。このため、ＳＶ看介護記録処理部２２４が書式通知通信信号を端末装置ＳＰ、ＴＡへ送信した場合に、送信先状況情報記憶処理部２２３は、その送信先の端末装置ＳＰ、ＴＡに対して入力使用中端末情報を送信先状況情報記憶部２３６に記憶する。より具体的には、送信先状況情報記憶処理部２２３は、送信先状況情報記憶部２３６に記憶されている送信先状況情報テーブルＣＴから、処理Ｃ１８で送信した書式通知通信信号の送信先の端末装置ＳＰ、ＴＡが持つ端末ＩＤ（すなわち、処理Ｃ１７で受信した選択種類通知通信信号に収容されていた端末ＩＤ）を、端末ＩＤフィールド２３６１に登録するレコードを選定し、この選定したレコードにおける使用状況フィールド２３６３に使用状況フラグ「１」を登録する。これによって書式通知通信信号を送信した端末装置ＳＰ、ＴＡにおける使用状況が入力使用中の端末装置ＳＰ、ＴＡとして送信先状況情報記憶部２３６に記憶される。
【０１３１】
一方、管理サーバ装置ＳＶから書式通知通信信号を受信すると、携帯端末装置ＴＡは、ＴＡ看介護記録処理部３２５によって、記録書式画面６４をＴＡ表示部３６に表示する。
【０１３２】
例えば、処理Ｃ１７で「食事ケア」を表示する領域（種類選択ボタン）６３１−１が入力操作されると、携帯端末装置ＴＡは、ＴＡ看介護記録処理部３２５によって、記録書式名として「食事ケア」を収容した選択種類通知通信信号を管理サーバ装置ＳＶへ送信し、その返信として、食事ケア用の記録書式の電子ファイルを収容した書式通知信通信信号を受信し、例えば、図１９に示す食事ケア用記録書式画面６４ａをＴＡ表示部３６に表示する。
【０１３３】
この食事ケア用記録書式画面６４ａは、食事ケア用の記録書式を表示する画面であって、実施した食事ケアの内容を看介護記録として入力するための画面である。前記食事ケア用記録書式画面６４ａは、例えば、図１９に示すように、メニューバー領域５１１と、対象者名を表示する対象者名表示領域６２１と、看介護の内容として入力すべき入力項目を表示して前記入力項目に応じた看介護の内容を看介護記録として入力する看介護記録入力領域６４１ａと、この看介護記録を他の端末装置ＳＰ、ＴＡから参照可能とするか否かの設定を入力する共有化チェックボックス（□）６４２と、「送信する」ボタン６４３とを備える。
【０１３４】
食事ケア用の記録書式では、例えば、本実施形態では、前記入力項目として主食の摂取量（主食量）、副食の摂取量（副食量）、メモおよびケア実施時間であり、これらを入力するために、看介護記録入力領域６４１ａは、主食量を入力するための主食量入力領域６４１ａ−１と、副食量を入力するための副食量入力領域６４１ａ−２と、メモを入力するための自由記述入力領域６４１ａ−３と、看介護を実施した時刻を入力するためのケア実施時間入力領域６４１ａ−４とを備える。看介護記録入力領域６４１ａ（６４１ａ−１〜６４１ａ−４）には、前記タッチパネルを構成するＴＡ入力部３５の入力操作によって、看介護の内容（図１９に示す例では食事ケアの内容）が入力される。共有化チェックボックス６４２では、前記タッチパネルを構成するＴＡ入力部３５から、チェックの入力操作を受け付けると、共有化チェックボックス６４２内に「レ」が表示され、記録書式画面６４（図１９に示す例では当該食事ケア用記録書式画面６４ａ）に入力された内容を他の端末装置ＳＰ、ＴＡから参照できるように設定する指示が入力される。一方、前記チェックの入力操作を受け付けないと、共有化チェックボックス６４２内は、空欄で表示され、記録書式画面６４（図１９に示す例では当該食事ケア用記録書式画面６４ａ）に入力された内容を他の端末装置ＳＰ、ＴＡから参照できないように設定する指示が入力される。「送信する」ボタン６４３は、記録書式画面６４（図１９に示す例では当該食事ケア用記録書式画面６４ａ）に入力された内容（図１９に示す例では食事ケアの内容）を管理サーバ装置ＳＶへ送信する指示を入力するためのボタンである。
【０１３５】
また例えば、処理Ｃ１７で「排泄ケア」を表示する領域（第１種類選択ボタン）６３１−３が入力操作されると、携帯端末装置ＴＡは、ＴＡ看介護記録処理部３２５によって、記録書式名として「排泄ケア」を収容した選択種類通知通信信号を管理サーバ装置ＳＶへ送信し、その返信として、排泄ケア用の記録書式の電子ファイルを収容した書式通知信通信信号を受信し、例えば、図２０に示す排泄ケア用記録書式画面６４ｂをＴＡ表示部３６に表示する。
【０１３６】
この排泄ケア用記録書式画面６４ｂは、排泄用の記録書式を表示する画面であって、実施した排泄ケアの内容を看介護記録として入力するための画面である。前記排泄ケア用記録書式画面６４ｂは、例えば、図２０に示すように、メニューバー領域５１１と、対象者名表示領域６２１と、看介護の内容として入力すべき入力項目を表示して前記入力項目に応じた看介護の内容を看介護記録として入力する看介護記録入力領域６４１ｂと、共有化チェックボックス（□）６４２と、「送信する」ボタン６４３とを備える。
【０１３７】
排泄ケア用の記録書式では、例えば、本実施形態では、前記入力項目として排尿、便量、便質、メモならびにケア実施時間であり、これらを入力するために、看介護記録入力領域６４１ｂは、排尿の有無を入力するための排尿入力領域６４１ｂ−１と、排便量を入力するための排便量入力領域６４１ｂ−２と、便質を入力するための便質入力領域６４１ｂ−３と、メモを入力するための自由記述入力領域６４１ｂ−４と、看介護を実施した時刻を入力するためのケア実施時間入力領域６４１ｂ−５とを備える。看介護記録入力領域６４１ｂ（６４１ｂ−１〜６４１ｂ−５）には、前記タッチパネルを構成するＴＡ入力部３５の入力操作によって、看介護の内容（図２０に示す例では排泄ケアの内容）が入力される。
【０１３８】
なお、図示を省略するが、水分ケア用記録書式画面、バイタルケア用記録書式画面およびモーニングケア用記録書式画面（イブニングケア用記録書式画面）等が、予め用意され、書式情報記憶部２３７に記憶される。
【０１３９】
図１５に戻って、次に、携帯端末装置ＴＡは、ＴＡ看介護記録処理部３２５によって、ＴＡ表示部３６に表示された記録書式を用いて入力された看介護の内容を看介護記録として管理サーバ装置ＳＶへ送信するための通信信号（看介護記録通知通信信号）を管理サーバ装置ＳＶへ送信し（Ｃ１９）、本処理を終了する。
【０１４０】
より具体的には、監視者（ユーザ）は、まず、ＴＡ表示部３６に表示された記録書式を参照し、この記録書式の入力項目に応じた看介護の内容を入力する。この入力された看介護の内容は、ＴＡ看介護記録処理部３２５によって、看介護記録として、対象者名表示領域６２１に表示されている被監視者名と対応付けてＴＡ記憶部３３のデータ仮記憶部３３４に一時的に記憶される。例えば、食事ケアの看介護記録では、監視者（ユーザ）は、ＴＡ表示部３６に表示された食事ケア用記録書式画面６４ａを参照し、この食事ケア用記録書式画面６４ａの看介護記録入力領域６４１ａにおける各領域６４１ａ−１〜６４１ａ−４に、食事ケアの内容を入力し、必要に応じて、共有化チェックボックス（□）６４２を入力操作する。そして、監視者（ユーザ）は、「送信する」ボタン６４３を入力操作する。
【０１４１】
このような記録書式画面６４を用いて看介護の内容を看介護記録として入力している入力中では、上述したように、管理サーバ装置ＳＶは、センサ装置ＳＵから第１イベント通知通信信号を受信すると処理Ｓ２１、処理Ｓ２２、処理Ｓ２３および処理Ｓ２７の各処理を実行し、処理Ｓ２３では処理Ｓ２３１ないし処理Ｓ２３７を実行するので、入力使用中の当該携帯端末装置ＴＡは、処理Ｓ２３２ではその通知先の端末装置ＳＰ、ＴＡとして決定（選択）されない。このため、当該携帯端末装置ＴＡを取り扱う監視者（ユーザ）は、実行中の業務（ここでは看介護記録）に、より専念できる。一方、入力使用中の当該携帯端末装置ＴＡが処理Ｓ２３４および処理Ｓ２３６の各処理の中のいずれか一方で前記通知先の端末装置ＳＰ、ＴＡとして追加的に決定（選択）されると、第２イベント通信信号の受信によって、ＴＡ監視処理部３２２は、上述した図１０に示す処理Ｓ４１ないし処理Ｓ４６の各処理を実行する。これによって監視情報画面５２やナースコール受付画面５３が、記録書式画面６４に代え、あるいは、記録書式画面６４にオーバーラップ（重畳）して表示される。そして、これら処理Ｓ４１ないし処理Ｓ４６の各処理が終了すると、ＴＡ看介護記録処理部３２５は、データ仮記憶部３３４に記憶していたデータを用いて、入力の仕掛かり中であった記録書式画面６４をＴＡ表示部３６に表示し、元の画面に復帰する。なお、記録書式画面６４は、上記第２イベント通知通信信号の受信の際に、画面情報記憶部３３３に待避（記憶）しても良く、画面情報記憶部３３３に既に記憶されている場合には、待避しなくても良い。
【０１４２】
そして、「送信する」ボタン６４３の入力操作を受け付けると、携帯端末装置ＴＡは、ＴＡ看介護記録処理部３２５によって、自機の端末ＩＤ、対象者名（被監視者名）、ならびに、記録書式画面６４を用いて入力されデータ仮記憶部３３４に記憶された看介護記録のデータ（上述の例では食事ケア用記録書式画面６４ａを用いて入力された主食の摂取量、副食の摂取量、メモ、ケア実施時間および共有化の許否）を収容する看介護記録通知通信信号を管理サーバ装置ＳＶへ送信する。送信すると、ＴＡ看介護記録処理部３２５は、データ仮記憶部３３４に記憶された前記看介護記録のデータを消去（削除）する。その後、ＴＡ看介護記録処理部３２５は、前記処理Ｃ１１で受け付けた対象者選択ボタン５１１１を表示していた画面（待受け画面５１、監視情報画面５２およびナースコール受付画面５３等）をＴＡ表示部３６に表示して本処理を終了する。
【０１４３】
一方、管理サーバ装置ＳＶは、この看介護記録通知通信信号を受信すると、ＳＶ看介護記録処理部２２３によって、この受信した看介護記録通知通信信号に収容された、対象者名（被監視者名）と看介護記録の内容（上述の例では主食の摂取量、副食の摂取量、メモ、ケア実施時間および共有化の許否）とを互いに対応付けて看介護記録情報記憶部２３８に記憶する。
【０１４４】
この看介護記録通知通信信号を送信した携帯端末装置ＴＡは、前記入力使用中の端末装置ＳＰ、ＴＡではなく、前記イベントの通知を待ち受ける待受け中となる。このため、看介護記録通知通信信号を受信した場合に、送信先状況情報記憶処理部２２３は、その送信元の端末装置ＳＰ、ＴＡに対する待受け中端末情報を送信先状況情報記憶部２３６に記憶する。より具体的には、送信先状況情報記憶処理部２２３は、送信先状況情報記憶部２３６に記憶されている送信先状況情報テーブルＣＴから、この受信した看介護記録通知通信信号の送信元の端末装置ＳＰ、ＴＡが持つ端末ＩＤ（すなわち、処理Ｃ１９で送信された看介護記録通知通信信号に収容された端末ＩＤ）を、端末ＩＤフィールド２３６１に登録するレコードを選定し、この選定したレコードにおける使用状況フィールド２３６３に使用状況フラグ「０」を登録する。これによって看介護記録通知通信信号を送信した端末装置ＳＰ、ＴＡにおける使用状況が待受け中の端末装置ＳＰ、ＴＡとして送信先状況情報記憶部２３６に記憶される。
【０１４５】
なお、上述では、監視者（ユーザ）は、書式通知通信信号の受信によって表示された記録書式画面６４を用いて看介護の内容を入力し、「送信する」ボタン６４３を入力操作し、携帯端末装置ＴＡは、「送信する」ボタン６４３の入力操作の受け付けに応じて看介護記録通知通信信号を管理サーバ装置ＳＶへ送信したが、例えば状況の変化等によって、前記監視者は、書式通知通信信号の受信によって表示された記録書式画面６４を用いて看介護の内容を入力せずに、あるいは、書式通知通信信号の受信によって表示された記録書式画面６４を用いて看介護の内容を入力したがこの入力した看介護の内容を管理サーバ装置ＳＶへ送信することを望まずに（すなわち、端末装置ＳＰ、ＴＡが看介護記録通知通信信号を送信せずに）、待ち受け画面５１に戻る場合がある。このような場合では、前記監視者は、メニューバー領域５１１の待ち受けボタン５１１３（図１９および図２０参照）の入力操作を行う。この待ち受けボタン５１１３は、例えば第２イベント通知通信信号等の自機宛の通信信号を待ち受ける指示を当該携帯端末装置ＴＡに入力するためのボタンである。この待ち受けボタン５１１３の入力操作を受け付けると、携帯端末装置ＴＡは、ＴＡ看介護記録処理部３２５によって、前記イベントの通知を待ち受ける待受け中である旨を通知するための通信信号（待受け中通知通信信号）を管理サーバ装置ＳＶへ送信した後に、その処理を終了し、ＴＡ監視処理部３２２によって、待受け画面５１をＴＡ表示部３６に表示する。前記待受け中通知通信信号には、自機の端末ＩＤおよび前記待受け中であることを表す情報が収容される。この待受け中通知通信信号を受信した管理サーバ装置ＳＶは、送信先状況情報記憶処理部２２３によって、その送信元の端末装置ＳＰ、ＴＡに対する待受け中端末情報を送信先状況情報記憶部２３６に記憶する。より具体的には、送信先状況情報記憶処理部２２３は、送信先状況情報記憶部２３６に記憶されている送信先状況情報テーブルＣＴから、この受信した待受け中通知通信信号の送信元の端末装置ＳＰ、ＴＡが持つ端末ＩＤを、端末ＩＤフィールド２３６１に登録するレコードを選定し、この選定したレコードにおける使用状況フィールド２３６３に使用状況フラグ「０」を登録する。これによっても待受け中通知通信信号を送信した端末装置ＳＰ、ＴＡにおける使用状況が待受け中の端末装置ＳＰ、ＴＡとして送信先状況情報記憶部２３６に記憶される。
【０１４６】
看介護記録に関し、携帯端末装置ＴＡおよび管理サーバ装置ＳＶは、以上のように動作している。
【０１４７】
そして、ログアウトでは、例えば看護師や介護士等の監視者（ユーザ）は、ＴＡ入力部３５から、メニューバー領域５１１のサブメニューボタン５１１２の入力操作を行い、サブメニュー画面６２の「ログアウト」ボタン６２２−５（図１７参照）の入力操作を行う。携帯端末装置ＴＡは、ＴＡ入力部３５から「ログアウト」ボタン６２２−５の入力操作を受け付けると、ＴＡ制御処理部３２のＴＡ監視処理部３２２によって、管理サーバ装置ＳＶ宛にログアウト通信信号を生成し、この生成したログアウト通信信号をＴＡ通信ＩＦ部３１で管理サーバ装置ＳＶへ送信する。より具体的には、ＴＡ監視処理部３２２は、前記ログアウト要求情報および自機の端末ＩＤを収容するログアウト通信信号を管理サーバ装置ＳＶ宛に生成し、この生成したログアウト通信信号をＴＡ通信ＩＦ部３１で管理サーバ装置ＳＶへ送信する。このログアウト通信信号を受信した管理サーバ装置ＳＶは、上述したように、処理Ｓ２１、処理Ｓ２２、処理Ｓ２５および処理Ｓ２７の各処理を実行する。これによって携帯端末装置ＴＡは、当該被監視者監視システムＭＳからログアウトする。
【０１４８】
以上説明したように、本実施形態における被監視者監視システムＭＳ、前記中央処理装置の一例である管理サーバ装置ＳＶおよびこれに実装された中央処理方法は、センサ装置ＳＵから第１イベント通知通信信号によって受信したイベントを端末装置ＳＰ、ＴＡへ送信する際に、送信先状況情報に基づいて通知先の端末装置ＳＰ、ＴＡを決定するので、適宜な端末装置ＳＰ、ＴＡに、前記センサ装置ＳＵから受信した前記イベントを送信できる。したがって、上記被監視者監視システムＭＳ、管理サーバ装置ＳＶおよび中央処理方法は、実行中の業務により専念させることができ、業務効率の低下をより回避できる。
【０１４９】
上記被監視者監視システムＭＳ、管理サーバ装置ＳＶおよび中央処理方法は、前記ログイン中の端末装置ＳＰ、ＴＡから、前記入力使用中の端末装置ＳＰ、ＴＡの除いた、残余の端末装置ＳＰ、ＴＡを前記通知先の端末装置ＳＰ、ＴＡとして決定する。このため、前記入力使用中の端末装置ＳＰ、ＴＡには、前記イベントの通知が実行されず、監視者（ユーザ）は、前記入力使用中の端末装置ＳＰ、ＴＡに対し、外部から所定のデータの入力を続行できる。したがって、上記被監視者監視システムＭＳ、管理サーバ装置ＳＶおよび中央処理方法は、実行中の、データ入力の業務により専念させることができ、その業務効率の低下をより回避できる。
【０１５０】
上記被監視者監視システムＭＳ、管理サーバ装置ＳＶおよび中央処理方法は、前記残余の端末装置ＳＰ、ＴＡが１個または０個である場合、前記入力使用中の端末装置ＳＰ、ＴＡの一部または全部をさらに前記通知先の端末装置ＳＰ、ＴＡとして決定する。このため、上記被監視者監視システムＭＳ、管理サーバ装置ＳＶおよび中央処理方法は、前記残余の端末装置ＳＰ、ＴＡが１個または０個である場合でも、前記センサ装置ＳＵによって検知した前記イベントを端末装置ＳＰ、ＴＡへより確実に通知できる。
【０１５１】
上記被監視者監視システムＭＳ、管理サーバ装置ＳＶおよび中央処理方法は、予め設定された特定の属性を前記属性情報として持つ端末装置ＳＰ、ＴＡをさらに前記通知先の端末装置ＳＰ、ＴＡとして決定する。このため、上記被監視者監視システムＭＳ、管理サーバ装置ＳＶおよび中央処理方法は、予め設定された特定の属性（例えば担当責任者や士長や師長等）を前記属性情報として持つ端末装置ＳＰ、ＴＡへ、前記センサ装置ＳＵによって検知した前記イベントを確実に通知できる。
【０１５２】
なお、上述の実施形態において、ＳＶ看介護記録処理部２２４が書式通知通信信号を端末装置ＳＰ、ＴＡへ送信した場合に、送信先状況情報記憶処理部２２３は、その送信先の端末装置ＳＰ、ＴＡに対する入力使用中端末情報を送信先状況情報記憶部２３６に記憶したが、これに限定されるものではない。例えば、外部から所定のデータの入力を受け付けるために使用中である旨を通知するための通信信号（入力使用中通知通信信号）を管理サーバ装置ＳＶへ送信するように端末装置ＳＰ、ＴＡが構成され、前記入力使用中通知通信信号を端末装置ＳＰ、ＴＡから受信した場合に、送信先状況情報記憶処理部２２３は、その送信元の端末装置ＳＰ、ＴＡに対する入力使用中端末情報を送信先状況情報記憶部２３６に記憶しても良い。この場合において、上述の選択種類通知通信信号が前記入力使用中通知通信信号と兼用されても良い。
【０１５３】
また、上述の実施形態では、入力使用中の端末装置となる、外部から入力される所定のデータは、看介護記録としての看介護の内容であったが、これに限定されるものではない。例えば、伝言文等の文章を記憶し、端末装置ＳＰ、ＴＡに対して前記文章を送受信する電子伝言板機能を備えるように管理サーバ装置ＳＶが構成された場合において、前記所定のデータは、伝言文等の文章であっても良い。
【０１５４】
本明細書は、上記のように様々な態様の技術を開示しているが、そのうち主な技術を以下に纏める。
【０１５５】
一態様にかかる中央処理装置は、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの前記中央処理装置であって、送信先の状況を表す所定の送信先状況情報を記憶する送信先状況情報記憶部と、前記センサ装置から前記イベントを受信した場合に、前記送信先状況情報記憶部に記憶された前記送信先状況情報に基づいて通知先の端末装置を決定し、前記決定した端末装置へ、前記センサ装置から受信した前記イベントを送信する監視処理部とを備える。
【０１５６】
このような中央処理装置は、前記センサ装置から受信した前記イベントを端末装置へ送信する際に、送信先状況情報に基づいて通知先の端末装置を決定するので、適宜な端末装置に、前記センサ装置から受信した前記イベントを送信できる。したがって、上記中央処理装置は、実行中の業務により専念させることができ、業務効率の低下をより回避できる。
【０１５７】
他の一態様では、上述の中央処理装置において、前記送信先状況情報は、当該被監視者監視システムにログインしているログイン中の端末装置を表すログイン端末情報、および、外部から所定のデータの入力を受け付けるために使用中である入力使用中の端末装置を表す入力使用中端末情報を含み、前記監視処理部は、前記ログイン中の端末装置から、前記入力使用中の端末装置の除いた、残余の端末装置を前記通知先の端末装置として決定する。好ましくは、上述の中央処理装置において、前記送信先状況情報を前記送信先状況情報記憶部に記憶する送信先状況情報記憶処理部をさらに備え、前記送信先状況情報記憶処理部は、ログインを要求するためのログイン通信信号を前記端末装置から受信した場合に、前記ログイン通信信号の送信元の前記端末装置に対してログイン端末情報を前記送信先状況情報記憶部に記憶する。好ましくは、上述の中央処理装置において、前記送信先状況情報を前記送信先状況情報記憶部に記憶する送信先状況情報記憶処理部をさらに備え、前記送信先状況情報は、当該被監視者監視システムからログアウトしているログアウト中の端末装置を表すログアウト端末情報を含み、前記送信先状況情報記憶処理部は、ログアウトを要求するためのログアウト通信信号を前記端末装置から受信した場合に、前記ログアウト通信信号の送信元の前記端末装置に対してログアウト端末情報を前記送信先状況情報記憶部に記憶する。好ましくは、上述の中央処理装置において、前記送信先状況情報を前記送信先状況情報記憶部に記憶する送信先状況情報記憶処理部をさらに備え、前記送信先状況情報記憶処理部は、前記端末装置が外部から所定のデータの入力を受け付けるために使用中である場合に、前記端末装置に対して入力使用中端末情報を前記送信先状況情報記憶部に記憶する。好ましくは、上述の中央処理装置において、看介護の内容を看介護記録として入力するための記録書式を収容する書式通知通信信号を端末装置へ送信した場合に、前記送信先状況情報記憶処理部は、その送信先の前記端末装置に対して入力使用中端末情報を前記送信先状況情報記憶部に記憶する。好ましくは、上述の中央処理装置において、外部から所定のデータの入力を受け付けるために使用中である旨を通知するための入力使用中通知通信信号を端末装置から受信した場合に、前記送信先状況情報記憶処理部は、その送信元の前記端末装置に対して入力使用中端末情報を前記送信先状況情報記憶部に記憶する。好ましくは、上述の中央処理装置において、前記送信先状況情報を前記送信先状況情報記憶部に記憶する送信先状況情報記憶処理部をさらに備え、前記送信先状況情報は、前記イベントの通知を待ち受ける待受け中の端末装置を表す待受け中端末情報を含み、前記送信先状況情報記憶処理部は、前記端末装置が前記イベントの通知を待ち受ける待受け中である場合に、前記端末装置に対して待受け中端末情報を前記送信先状況情報記憶部に記憶する。好ましくは、上述の中央処理装置において、看介護記録として看介護の内容を収容する看介護記録通知通信信号を受信した場合に、前記送信先状況情報記憶処理部は、その送信元の前記端末装置に対して待受け中端末情報を前記送信先状況情報記憶部に記憶する。好ましくは、上述の中央処理装置において、前記イベントの通知を待ち受ける待受け中である旨を通知するための待受け中通知通信信号を前記端末装置から受信した場合に、前記送信先状況情報記憶処理部は、その送信元の前記端末装置に対して待受け中端末情報を前記送信先状況情報記憶部に記憶する。好ましくは、上述の中央処理装置において、前記ログイン通信信号は、待受け中通知通信信号と兼用される。
【０１５８】
このような中央処理装置は、前記ログイン中の端末装置から、前記入力使用中の端末装置の除いた、残余の端末装置を前記通知先の端末装置として決定する。このため、前記入力使用中の端末装置には、前記イベントの通知が実行されず、監視者（ユーザ）は、前記入力使用中の端末装置に対し、外部から所定のデータの入力を続行できる。したがって、上記中央処理装置は、実行中の、データ入力の業務により専念させることができ、その業務効率の低下をより回避できる。
【０１５９】
他の一態様では、上述の中央処理装置において、前記監視処理部は、前記残余の端末装置が１または０である場合、前記入力使用中の端末装置の一部または全部をさらに前記通知先の端末装置として決定する。好ましくは、上述の中央処理装置において、前記送信先状況情報は、当該被監視者監視システムにログインしているログイン中の端末装置を取り扱う監視者における所定の属性を表す属性情報をさらに含み、前記監視処理部は、前記送信先状況情報記憶部に記憶されている属性情報に基づいて、前記入力使用中の端末装置の一部をさらに前記通知先の端末装置として決定する。
【０１６０】
このような中央処理装置は、前記残余の端末装置が１または０である場合、前記入力使用中の端末装置の一部または全部をさらに前記通知先の端末装置として決定する。このため、上記中央処理装置は、前記残余の端末装置が１または０である場合でも、前記センサ装置によって検知した前記イベントを端末装置へより確実に通知できる。
【０１６１】
他の一態様では、これら上述の中央処理装置において、前記送信先状況情報は、当該被監視者監視システムにログインしているログイン中の端末装置を取り扱う監視者における所定の属性を表す属性情報をさらに含み、前記監視処理部は、前記ログイン中の端末装置から、予め設定された特定の属性を前記属性情報として持つ端末装置をさらに前記通知先の端末装置として決定する。
【０１６２】
このような中央処理装置は、前記ログイン中の端末装置から、予め設定された特定の属性を前記属性情報として持つ端末装置をさらに前記通知先の端末装置として決定する。このため、上記中央処理装置は、予め設定された特定の属性（例えば担当責任者や介護士長や看護師長や施設責任者（施設長）等）を前記属性情報として持つ端末装置へ、前記センサ装置によって検知した前記イベントを確実に通知できる。
【０１６３】
他の一態様にかかる中央処理方法は、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの中央処理方法であって、前記センサ装置から前記イベントを受信した場合に、送信先状況情報記憶部に記憶された、送信先の状況を表す所定の送信先状況情報に基づいて通知先の端末装置を決定する決定工程と、前記決定工程で決定した端末装置へ、前記センサ装置から受信した前記イベントを送信する送信工程とを備える。
【０１６４】
このような中央処理方法は、前記センサ装置から受信した前記イベントを端末装置へ送信する際に、送信先状況情報に基づいて通知先の端末装置を決定するので、適宜な端末装置に、前記センサ装置から受信した前記イベントを送信できる。したがって、上記中央処理方法は、実行中の業務により専念させることができ、業務効率の低下をより回避できる。
【０１６５】
他の一態様にかかる被監視者監視システムは、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムであって、前記中央処理装置は、これらいずれかの中央処理装置である。
【０１６６】
このような被監視者監視システムは、これらいずれかの中央処理装置を用いるので、実行中の業務により専念させることができ、業務効率の低下をより回避できる。
【０１６７】
この出願は、２０１６年８月１０日に出願された日本国特許出願特願２０１６−１５７４７３を基礎とするものであり、その内容は、本願に含まれるものである。
【０１６８】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１６９】
本発明によれば、被監視者監視システムの中央処理装置および中央処理方法ならびに被監視者監視システムが提供できる。
【図１】
2018030020.tif 000003
【図２】
2018030020.tif 000004
【図３】
2018030020.tif 000005
【図４】
2018030020.tif 000006
【図５】
2018030020.tif 000007
【図６】
2018030020.tif 000008
【図７】
2018030020.tif 000009
【図８】
2018030020.tif 000010
【図９】
2018030020.tif 000011
【図１０】
2018030020.tif 000012
【図１１】
2018030020.tif 000013
【図１２】
2018030020.tif 000014
【図１３】
2018030020.tif 000015
【図１４】
2018030020.tif 000016
【図１５】
2018030020.tif 000017
【図１６】
2018030020.tif 000018
【図１７】
2018030020.tif 000019
【図１８】
2018030020.tif 000020
【図１９】
2018030020.tif 000021
【図２０】
2018030020.tif 000022
【国際調査報告】
2018030020.tif 000023
2018030020.tif 000024
2018030020.tif 000025
2018030020.tif 000026